(57)【要約】【課題】コスト削減を図るようにした無線基地局装置、無線基地局装置における無線通信方法、及び無線通信プログラムを提供すること。端末装置の消費電力の削減、又は、ネットワーク内の各装置に対する処理負荷の軽減を夫々図るようにした無線基地局装置、無線基地局装置における無線通信方法、及び無線通信プログラムを提供すること。【解決手段】端末装置と無線通信を行う無線基地局装置において、前記端末装置がハンドオーバするとき、当該ハンドオーバに対する履歴情報を記憶部に記憶するロギング処理部と、前記履歴情報に基づいて、前記端末装置が前記ハンドオーバに用いる測定パラメータを変更するか否かを判断し、前記測定パラメータを変更すると判断したとき変更指示を出力する変更判断部と、前記変更指示に基づいて変更した前記測定パラメータを前記端末装置に送信する送信部とを備える。【選択図】図１２
2011193114.tif 000002
【特許請求の範囲】
【請求項１】
端末装置と無線通信を行う無線基地局装置において、
前記端末装置がハンドオーバするとき、当該ハンドオーバに対する履歴情報を記憶部に記憶するロギング処理部と、
前記履歴情報に基づいて、前記端末装置がハンドオーバの判定に用いる測定パラメータを変更するか否かを判断し、前記測定パラメータを変更すると判断したとき変更指示を出力する変更判断部と、
前記変更指示に基づいて変更した前記測定パラメータを前記端末装置に送信する送信部と
を備えることを特徴とする無線基地局装置。
【請求項２】
前記ロギング処理部は、前記端末装置が第１のセルから第２のセルを経由して前記第１のセルに夫々ハンドオーバするとき、又は前記端末装置が前記第１のセルから前記第２のセルを経由して第３のセルに夫々ハンドオーバするとき、各ハンドオーバに対する前記履歴情報を前記記憶部に記憶することを特徴とする請求項１記載の無線基地局装置。
【請求項３】
前記ロギング処理部は、ハンドオーバが発生する毎に、ハンドオーバ元のセルの識別子と、ハンドオーバ先のセルの識別子、及びハンドオーバの発生時刻を含む前記履歴情報を記憶することを特徴とする請求項１記載の無線基地局装置。
【請求項４】
前記変更判断部は、前記履歴情報に基づいて、第１の閾値時間内において、前記ハンドオーバが行われる時間間隔が第２の閾値時間内であって、かつ、前記ハンドオーバが閾値回数以上行われたとき、前記変更指示を出力することを特徴とする請求項１記載の無線基地局装置。
【請求項５】
端末装置と無線通信を行う無線基地局装置における無線通信方法であって、
前記端末装置がハンドオーバするとき、当該ハンドオーバに対する履歴情報を記憶部に記憶し、
前記履歴情報に基づいて、前記端末装置がハンドオーバの判定に用いる測定パラメータを変更するか否かを判断し、前記測定パラメータを変更すると判断したとき変更指示を出力し、
前記変更指示に基づいて変更した前記測定パラメータを前記端末装置に送信する
ことを特徴とする無線通信方法。
【請求項６】
端末装置と無線通信を行う無線基地局装置を制御するコンピュータに実行させるプログラムであって、
前記端末装置がハンドオーバするとき、当該ハンドオーバに対する履歴情報を記憶部に記憶する処理と、
前記履歴情報に基づいて、前記端末装置がハンドオーバの判定に用いる測定パラメータを変更するか否かを判断し、前記測定パラメータを変更すると判断したとき変更指示を出力する変更する処理と、
前記変更指示に基づいて変更した前記測定パラメータを前記端末装置に送信する処理と
を前記コンピュータに実行させるプログラム。
【発明の詳細な説明】
【技術分野】
【０００１】
本発明は、無線基地局装置、無線基地局装置における無線通信方法、及び無線通信プログラムに関する。
【背景技術】
【０００２】
無線通信システムにおいて、ハンドオーバと呼ばれる技術がある。ハンドオーバは、例えば、移動中の端末装置の通信が切断することないようにするための技術である。
【０００３】
例えば、端末装置は、あるセル（例えば、基地局装置との通信可能範囲）に位置しているときに通信品質の最もよい他セルを見つけると、基地局装置等を含むネットワークに対して他セルへのハンドオーバを要求する。ネットワークは、かかる要求に対してハンドオーバを許可し、この許可に基づいて端末装置はハンドオーバを行う。
【０００４】
しかし、端末装置は、例えばセル境界付近に位置するとき、閾値より短い時間で複数回ハンドオーバを行う場合もある。このようなハンドオーバは、端末装置に対して電力負荷をかけることになる。また、ネットワーク内の各装置に対しても、ハンドオーバ処理に関して負荷がかかる。
【０００５】
そのため、従来では、端末装置等がヒステリシス値（又はオフセット値）を用いてハンドオーバの判定を行うようにしたものがある。例えば、端末装置は、接続中のセルについて通信品質を測定し、その測定結果に対して、ヒステリシス値を加算し、これを他セルに対する通信品質の測定結果と比較する。接続中のセルの測定結果にヒステリシス値が加算されているため、ヒステリシス値を加算しない場合と比較して、加算値が他セルに対する通信品質の測定結果を上回る機会が少なくなり、ハンドオーバの回数が削減される。
【先行技術文献】
【非特許文献】
【０００６】
【非特許文献１】3GPP TS 36.331 5.5 Measurements
【非特許文献２】3GPP TS 25.331 8.4 Measurement Procedure
【非特許文献３】3GPP TS 36.000
【発明の概要】
【発明が解決しようとする課題】
【０００７】
しかし、端末装置がヒステリシス値を用いてハンドオーバの判定を行っても、ヒステリシス値の大きさによっては、閾値より短い時間で複数回ハンドオーバが行われる場合もある。
【０００８】
図３５（Ａ）及び同図（Ｂ）は端末装置の移動推移とセル範囲との関係例を示す図である。同図（Ａ）及び（Ｂ）において矢印は端末装置の移動推移を示す。
【０００９】
図３５（Ａ）に示すように、セル＃２のセル範囲は、閾値より小さいヒステリシス値のとき、例えば実線で示される範囲となり、閾値より大きいヒステリシス値のとき、例えば点線で示される範囲となる。閾値より小さいヒステリシス値が用いられる場合、端末装置は丸印で示される位置でハンドオーバを行う。一方、閾値より大きいヒステリシス値が用いられる場合、端末装置はセル＃２のセル範囲を移動するためハンドオーバを行わない。同図（Ａ）の例は、セル範囲が広がるとハンドオーバが行われる回数が「２」から「０」に削減される。
【００１０】
一方、図３５（Ｂ）の例の場合、セル＃１のセル範囲は、同図（Ａ）の例と同様に、閾値より小さいヒステリシス値が用いられた場合、セル＃１のセル範囲は実線で示される範囲となる。この場合、端末装置はセル＃１からセル＃３へハンドオーバした後、セル＃３のセル範囲を移動するため、ハンドオーバを行わない。しかし、閾値より大きいヒステリシス値が用いられた場合、セル＃１のセル範囲は点線となり、端末装置はセル＃１からセル＃２、更に、セル＃２からセル＃３へとハンドオーバを行う。この例の場合、セル範囲が広がるとハンドオーバ回数が「１」から「３」へ増加する。
【００１１】
このようにヒステリシス値を閾値より大きくしても（セル範囲を広げても）ハンドオーバの回数が所定回数より少なくなるとは限らない。セル境界付近の地理的条件によっては、閾値より小さいヒステリシス値の方が閾値より大きいヒステリシス値の場合よりもハンドオーバの回数が削減される場合もある。このようなハンドオーバの発生は無線基地局装置と端末装置とを実際に運用して初めて把握される場合も多い。
【００１２】
そして、このようなヒステリシス値の調整に関して、無線基地局を運用する事業者に対して実際の運用中、手動で行わせることは事業者にコスト負担をかけることになる。
【００１３】
そこで、本発明の一目的は、コスト削減を図るようにした無線基地局装置、無線基地局装置における無線通信方法、及び無線通信プログラムを提供することにある。
【００１４】
また、本発明の他の目的は、端末装置の消費電力の削減、又は、ネットワーク内の各装置に対する処理負荷の軽減を夫々図るようにした無線基地局装置、無線基地局装置における無線通信方法、及び無線通信プログラムを提供することにある。
【課題を解決するための手段】
【００１５】
一態様によれば、端末装置と無線通信を行う無線基地局装置において、前記端末装置がハンドオーバするとき、当該ハンドオーバに対する履歴情報を記憶部に記憶するロギング処理部と、前記履歴情報に基づいて、前記端末装置が前記ハンドオーバに用いる測定パラメータを変更するか否かを判断し、前記測定パラメータを変更すると判断したとき変更指示を出力する変更判断部と、前記変更指示に基づいて変更した前記測定パラメータを前記端末装置に送信する送信部とを備える。
【発明の効果】
【００１６】
コスト削減を図るようにした無線基地局装置、無線基地局装置における無線通信方法、及び無線通信プログラムを提供することができる。また、端末装置の消費電力の削減、又は、ネットワーク内の各装置に対する処理負荷の軽減を図るようにした無線基地局装置、無線基地局装置における無線通信方法、及び無線通信プログラムを提供することができる。
【図面の簡単な説明】
【００１７】
【図１】図１は無線通信システムの構成例を示す図である。
【図２】図２はネットワークの構成例を示す図である。
【図３】図３（Ａ）及び図３（Ｂ）はセルと無線基地局装置との関係例を示す図である。
【図４】図４（Ａ）〜図４（Ｃ）はセルと無線基地局装置との関係例を示す図である。
【図５】図５（Ａ）及び図５（Ｂ）はセルと無線基地局装置との関係例を示す図である。
【図６】図６は無線基地局装置の構成例を示す図である。
【図７】図７は無線基地局装置の制御部の構成例を示す図である。
【図８】図８は端末装置の構成例を示す図である。
【図９】図９は端末装置のデジタルベースバンド処理制御部の構成例を示す図である。
【図１０】図１０は動作例を示すシーケンス図である。
【図１１】図１１（Ａ）及び図１１（Ｂ）はテーブルの構成例を示す図である。
【図１２】図１２は端末装置の移動推移とセルとの関係例を示す図である。
【図１３】図１３は動作例を示すシーケンス図である。
【図１４】図１４は動作例を示すシーケンス図である。
【図１５】図１５は動作例を示すシーケンス図である。
【図１６】図１６（Ａ）及び図１６（Ｂ）はテーブルの構成例を示す図である。
【図１７】図１７は端末装置の移動推移とセルとの関係例を示す図である。
【図１８】図１８は動作例を示すシーケンス図である。
【図１９】図１９（Ａ）及び図１９（Ｂ）はテーブルの構成例を示す図である。
【図２０】図２０は端末装置の移動推移とセルとの関係例を示す図である。
【図２１】図２１は動作例を示すシーケンス図である。
【図２２】図２２（Ａ）及び図２２（Ｂ）はテーブルの構成例を示す図である。
【図２３】図２３は端末装置の移動推移とセルとの関係例を示す図である。
【図２４】図２４は動作例を示すシーケンス図である。
【図２５】図２５（Ａ）及び図２５（Ｂ）はテーブルの構成例を示す図である。
【図２６】図２６は端末装置の移動推移とセルとの関係例を示す図である。
【図２７】図２７は動作例を示すシーケンス図である。
【図２８】図２８（Ａ）〜図２８（Ｃ）はテーブルの構成例を示す図である。
【図２９】図２９は端末装置の移動推移とセルとの関係例を示す図である。
【図３０】図３０は無線基地局装置における制御部の他の構成例を示す図である。
【図３１】図３１（Ａ）〜図３２（Ｄ）はＨＳＳに記憶される情報の例を示す図である。
【図３２】図３２は動作例を示すシーケンス図である。
【図３３】図３３（Ａ）〜図３３（Ｃ）はテーブルの構成例を示す図である。
【図３４】図３４（Ａ）は無線基地局装置における制御部、図３４（Ｂ）は端末装置における制御部の各構成例を示す図である。
【図３５】図３５（Ａ）及び図３５（Ｂ）は端末装置の移動推移とセルとの関係例を示す図である。
【発明を実施するための形態】
【００１８】
本発明を実施するための形態について以下説明する。
【００１９】
＜第１の実施例＞
最初に第１の実施例について説明する。以下、順に本システムの構成例、セルと無線基地局装置との関係、無線基地局装置と端末装置の各構成例、最後に動作を説明する。
【００２０】
＜システムの構成例＞
まず、無線通信システムの構成例を説明する。図１は無線通信システム１０の構成例を示す図である。
【００２１】
無線通信システム１０は、無線基地局装置（eNodeB、以下「基地局」）１００と、端末装置（User Equipment、以下「端末」）２００‐１〜２００‐３とを備える。端末２００‐１〜２００‐３は、基地局１００のセル範囲に位置するとき、基地局１００との間で無線通信を行うことができる。基地局１００と通信できる端末２００‐１〜２００‐３は１台でも複数台でもよい。
【００２２】
図２は、基地局１００を含むネットワーク５００の構成例を示す図である。本ネットワーク５００は、無線アクセスネットワーク（Radio Network）５１０と、コアネットワーク（Core Network）５２０とを備える。
【００２３】
無線アクセスネットワーク５１０は、Ｓ１／Ｘ２  Ｆｌｅｘ  Ｎｅｔｗｏｒｋ（又はＩＰ  Ｎｅｔｗｏｒｋ、以下「ＩＰネットワーク」）３００と、ＩＰネットワーク３００に接続された複数の基地局１００‐１〜１００‐６とを備える。
【００２４】
各基地局１００‐１〜１００‐６は、例えば、Ｘ２インタフェースを用いて、ＩＰネットワーク３００を経由して他の基地局１００‐１〜１００‐６とメッセージ等を送信又は受信できる。また、各基地局１００‐１〜１００‐６は、例えば、Ｓ１インタフェースを用いて、ＩＰネットワーク３００を経由してコアネットワーク５２０内の各装置４３０，…とメッセージ等を送信又は受信できる。
【００２５】
ＩＰネットワーク３００は、各基地局１００‐１〜１００‐６とコアネットワーク５２０とを接続するネットワークである。
【００２６】
一方、コアネットワーク５２０は、ＭＭＥ（Mobility Management Entity）４１０と、ＨＳＳ（Home Subscriber Server）４２０と、Ｓ‐ＧＷ（Serving Gateway）４３０と、Ｐ‐ＧＷ（Packet Data Network Gateway）４４０とを備える。
【００２７】
ＭＭＥ４１０は、ＩＰネットワーク３００と接続されて、例えば、端末２００のアクセス制御、端末２００に対するページング手順、及びユーザ認証等を行う。
【００２８】
ＨＳＳ４２０は、ＭＭＥ４１０と接続されて、例えば、加入者の番号情報、移動局の種別情報、ローミング情報等の加入者情報等を管理する。
【００２９】
Ｓ‐ＧＷ４３０は、ＩＰネットワーク３００と接続されて、例えば、ユーザデータを切り替え、当該ユーザデータをＰ‐ＧＷ４４０又は各基地局１００‐１〜１００‐３に送信する。
【００３０】
Ｐ‐ＧＷ４４０は、Ｓ‐ＧＷ４３０とパケットネットワーク（ＰＤＮ）等に接続されて、例えば、端末２００等に対するＩＰアドレスの割り当て等を行い、ＰＤＮ等の他ネットワークとの間でユーザデータに対するインタフェースの役割も果たす。
【００３１】
尚、図１の無線通信システム１０は、例えば、図２に示す無線アクセスネットワーク５１０の一部でもある。
【００３２】
＜セルと基地局との関係＞
後述するハンドオーバの動作は、基地局１００とセルとの関係により異なる場合がある。そこで、基地局１００とセルとの関係について以下説明する。図３（Ａ）から図５（Ｂ）は基地局１００とセルとの関係例を示す図である。尚、セルは、例えば、端末２００がハンドオーバを行う一つの単位でもあり、基地局１００のアンテナ毎の電波到達範囲でもある。
【００３３】
図３（Ａ）及び同図（Ｂ）は２つのセルと基地局との関係例を示す図である。この場合、端末２００は２つのセル＃１，＃２間を移動してハンドオーバを行う。端末２００が２つのセル間をハンドオーバするとき、このようなハンドオーバを適宜「２セルまたぎ」と称することにする。
【００３４】
図３（Ａ）は「２セルまたぎ」のうち、１つの基地局１００が２つのセルを収容する場合の例であり、同図（Ｂ）は「２セルまたぎ」のうち、２つの異なる基地局１００‐１，１００‐２が夫々セル＃１，＃２を収容する場合の例を夫々示す。
【００３５】
端末２００が、「２セルまたぎ」により閾値より短い時間で「セル＃１→セル＃２→セル＃１」と移動するとき、本基地局１００はかかるハンドオーバが行われないように動作する。
【００３６】
図４（Ａ）〜図５（Ｂ）は、同じく基地局１００とセルとの関係例を示しているが、端末２００が３つのセル間を移動するとき（以下、適宜「３セルまたぎ」と称する）の関係例を示している。
【００３７】
図４（Ａ）は１つの基地局１００が３つのセル（セル＃１〜セル＃３）を収容する例であり、図４（Ｂ）は基地局１００‐１がセル＃１とセル＃２とを収容し、基地局１００‐２がセル＃３を収容する例である。また、図４（Ｃ）は基地局１００‐１がセル＃１、基地局１００‐２がセル＃２とセル＃３とを夫々収容する例である。更に、図５（Ａ）は、基地局１００‐１がセル＃１とセル＃３、基地局１００‐２がセル＃２を夫々収容する例であり、図５（Ｂ)は、各基地局１００‐１〜１００‐３が夫々各セル＃１〜＃３を収容する例である。
【００３８】
「３セルまたぎ」の場合、例えば、端末２００が閾値より短い時間で「セル＃１→セル＃２→セル＃３」と移動するとき、本基地局１００はかかるハンドオーバの発生を防止し、例えば「セル＃１→セル＃３」となるように端末２００を動作させる。動作について後述する。
【００３９】
＜基地局と端末の構成例＞
次に基地局１００と端末２００の構成例を説明する。
【００４０】
図６は基地局１００の構成例を示す図である。基地局１００は、伝送路インタフェース１０１と、スイッチ（以下、「ＳＷ」）１０２と、制御部１０３と、ベースバンド処理部１０４と、Ａ／Ｄ変換部１０５‐１〜１０５‐３と、広帯域アンプ１０６‐１〜１０６‐３と、アンテナ１０７‐１〜１０７‐３とを備える。
【００４１】
伝送路インタフェース１０１は、ＳＷ１０２とＩＰネットワーク３００とに接続され、ＩＰネットワーク３００から送信されたメッセージ等を受信し、例えば基地局１００内で処理できるフォーマットに変換し、ＳＷ１０２に出力する。また、伝送路インタフェース１０１は、例えば、ＳＷ１０２から出力されたメッセージ等をＩＰネットワーク３００に送信できるフォーマットに変換し、ＩＰネットワーク３００に出力する。
【００４２】
ＳＷ１０２は、伝送路インタフェース１０１から出力されたメッセージ等を制御部１０３又はベースバンド処理部１０４に出力する。また、ＳＷ１０２は、制御部１０３又はベースバンド処理部１０４から出力されたメッセージ等をＡ／Ｄ変換部１０５‐１〜１０５‐３又は伝送路インタフェース１０１に出力する。更に、ＳＷ１０２は、Ａ／Ｄ変換部１０５‐１〜１０５‐３から各々出力されたデータ又はメッセージ等をベースバンド処理部１０４又は制御部１０３に出力する。
【００４３】
制御部１０３は、ハンドオーバの制御、及びハンドオーバが行われた場合にロギング情報を保持し、ロギング情報に基づいて、ハンドオーバに用いられる測定パラメータの変更判断等を行う。制御部１０３の詳細は後述する。
【００４４】
ベースバンド処理部１０４は、ＭＡＣ多重分離等のベースバンド信号に対する各種処理、同期処理、ページング処理、及びトラフィック監視等の処理を行う。
【００４５】
Ａ／Ｄ変換部１０５‐１〜１０５‐３は、ＳＷ１０２から出力されたデータ又はメッセージ等をアナログ信号に変換し、広帯域アンプ１０６‐１〜１０６‐３から各々出力されたデータ等をデジタル信号に変換する。
【００４６】
広帯域アンプ１０６‐１〜１０６‐３は、Ａ／Ｄ変換部１０５‐１〜１０５‐３から出力されたデータ等を夫々増幅して、各アンテナ１０７‐１〜１０７‐３に出力する。また、広帯域アンプ１０６‐１〜１０６‐３は、各アンテナ１０７‐１〜１０７‐３から出力されたデータ等をＡ／Ｄ変換部１０５‐１〜１０５‐３に夫々出力する。
【００４７】
アンテナ１０７‐１〜１０７‐３は、セル範囲内の端末２００から送信されたデータ等を受信して広帯域アンプ１０６‐１〜１０６‐３に夫々出力し、広帯域アンプ１０６‐１〜１０６‐３から夫々出力されたデータ等をセル範囲内の端末２００に送信する。
【００４８】
尚、図６に示す基地局１００の構成例は、３セルを収容する基地局１００の例であり、そのため、Ａ／Ｄ変換部１０５‐１〜１０５‐３と、広帯域アンプ１０６‐１〜１０６‐３、アンテナ１０７‐１〜１０７‐３が夫々３つ設けられている。基地局１００が２セルを収容する場合は、２つのＡ／Ｄ変換部１０５‐１，１０５‐２、２つの広帯域アンプ１０６‐１，１０６‐２、２つのアンテナ１０７‐１，１０７‐２を備えるようにしてもよい。セルの数に応じて各部１０５‐１，…の数が調整される。ベースバンド処理部１０４もセル数に応じてその個数が調整されてもよいが、図６の例ではベースバンド処理部１０４が１つの例を示している。
【００４９】
図７は制御部１０３の構成例を示す図である。制御部１０３は、メッセージ作成及び処理部（以下、「メッセージ作成部」）１３１と、呼処理部１３２と、リソース管理部１３３と、測定指示及び結果分析部（以下、「測定指示部」）１３４と、ハンドオーバ制御部１３５と、ｅＮｏｄｅＢ‐端末接続管理制御部（以下、「接続管理制御部」）１３６と、装置監視制御部１３７と、ハンドオーバロギング処理部（以下、「ロギング処理部」）１３８と、測定パラメータ変更判断部（以下、「変更判断部」）１３９とを備える。
【００５０】
メッセージ作成部１３１は、呼処理部１３２から装置監視制御部１３７までの各部からの要求に応じてメッセージを作成してＳＷ１０２に出力する。また、メッセージ作成部１３１は、ＳＷ１０２から出力されたメッセージを入力して、当該メッセージを対応する呼処理部１３２から装置監視制御部１３７までのいずれかに出力する。
【００５１】
呼処理部１３２は、端末２００との間で発呼手順が行われるとき、呼処理のための各種メッセージ等の作成等を行う。
【００５２】
リソース管理部１３３は、端末２００との通信に使用されるリソースを管理しており、例えば、どの範囲のリソースが使用されているか等の情報を記憶する。
【００５３】
測定指示部１３４は、端末２００がハンドオーバを要求する際の基準となる測定パラメータ、例えば端末２００が通信品質を測定する際に用いるヒステリシス値（又はオフセット値）を含むメッセージの作成をメッセージ作成部１３１に指示する。このとき、測定指示部１３４は、変更判断部１３９からパラメータ変更指示を入力したとき、当該指示に基づいて、測定パラメータを変更し、変更したパラメータ等を含むメッセージの作成を指示する。また、測定指示部１３４は、端末２００から送信されたメッセージ等をメッセージ作成部１３１から入力し、当該メッセージに含まれる品質測定値の抽出等の処理を行う。
【００５４】
ハンドオーバ制御部１３５は、ハンドオーバが実行される際に、端末２００又は他の基地局１００との間で送受信されるメッセージ等の作成をメッセージ作成部１３１に指示する。また、ハンドオーバ制御部１３５は、端末２００から送信されたハンドオーバ要求メッセージ等をメッセージ作成部１３１から入力し、当該メッセージに含まれるハンドオーバ先又はハンドオーバ元のセルに関するハンドオーバ情報をロギング処理部１３８に出力する。
【００５５】
接続管理制御部１３６は、基地局１００と端末２００との間で通信接続中にどのようなメッセージ等が送受信されるか等、端末２００との間の接続状態を管理する。また、接続管理制御部１３６は、例えばハンドオーバが行われる前の呼処理の際に、端末２００から送信された端末識別子に関する端末情報をメッセージ作成部１３１から入力し、当該端末情報をロギング処理部１３８に出力する。
【００５６】
装置監視制御部１３７は、基地局１００装置内の各部１０３等の電源状態等を監視する。また、装置監視制御部１３７は、メッセージ作成部１３１において作成されたメッセージの作成時刻、又はメッセージ作成部１３１にメッセージ等が入力された時刻、或いは出力された時刻等を監視する。装置監視制御部１３７は、例えば、ハンドオーバ先の基地局１００に対するハンドオーバ要求メッセージをメッセージ作成部１３１から出力した時刻を時刻情報としてロギング処理部１３８に出力する。また、装置監視制御部１３７は、例えば、他の基地局から送信されたハンドオーバ要求メッセージをメッセージ作成部１３１に入力された時刻を時刻情報としてロギング処理部１３８に出力する。
【００５７】
ロギング処理部１３８は、ハンドオーバ情報と、端末情報、及び時刻情報とに基づいて、ハンドオーバがどのように行われたかを示すロギング情報を作成し、テーブル内に保持する。テーブルは、例えば、ロギング処理部１３８内のメモリに保持される。テーブルの例は後述する。
【００５８】
変更判断部１３９は、テーブル１３８１からロギング情報を読み出し、当該情報に基づいて、測定パラメータを変更するか否かを判断する。変更判断部１３９は、例えば、所定期間内において、閾値よりも短い時間で「セル＃１→セル＃２→セル＃１」等のハンドオーバが行われる回数がある値以上のとき、測定パラメータを変更すると判断する。変更判断部１３９は、測定パラメータを変更すると判断したとき、測定パラメータの変更指示を測定指示部１３４に出力する。この場合、変更判断部１３９は、例えば、ヒステリシス値そのものに対してどのようなヒステリシス値にするかを指示してもよいし、ヒステリシス値をそのままにしヒステリシス値に対する調整値をどのような値にするかを指示するようにしてもよい。詳細は後述する。
【００５９】
次に端末２００の構成例を説明する。図８は端末２００の構成例を示す図である。端末２００は、アンテナ２０１と、Ａ／Ｄ変換部２０２と、デジタルベースバンド処理制御部（以下、「ベースバンド処理制御部」）２０３、アプリケーション処理制御部２０４とを備える。
【００６０】
アンテナ２０１は、セル範囲内において基地局１００から送信されたデータ又はメッセージ等を無線により受信してＡ／Ｄ変換部２０２に出力し、Ａ／Ｄ変換部２０２から出力されたデータ等を当該基地局１００に無線により送信する。
【００６１】
Ａ／Ｄ変換部２０２は、アンテナ２０１から出力されたデータ等をデジタル信号に変換してベースバンド処理制御部２０３に出力し、ベースバンド処理制御部２０３から出力されたデータ等をアナログ信号に変換してアンテナ２０１に出力する。
【００６２】
ベースバンド処理制御部２０３は、メッセージ等の作成処理、及びデータ等に対する処理等を行う。詳細は後述する。
【００６３】
アプリケーション処理制御部２０４は、ベースバンド処理制御部２０３から出力されたデータ等に対して、カメラ部に表示させたり音源部に出力させる等、各種アプリケーション処理を行う。また、アプリケーション処理制御部２０４は、マイク部で取得した音声等をデータとしてベースバンド処理制御部２０３に出力する。
【００６４】
図９はベースバンド処理制御部２０３の構成例を示す図である。ベースバンド処理制御部２０３は、メッセージ作成及び処理部（以下、「メッセージ作成部」）２３１と、呼処理部２３２と、測定処理及び結果収集部（以下、「測定処理部」）２３３と、ハンドオーバ制御部２３４と、装置監視制御部２３５と、セル探索・監視制御部（以下、「セル探索部」）２３６と、報知情報処理部２３７と、電力制御部２３８とを備える。
【００６５】
メッセージ作成部２３１は、呼処理部２３２から報知情報処理部２３７までの各々からの要求に応じてメッセージ等を作成してＡ／Ｄ変換部２０２又はアプリケーション処理制御部２０４に出力する。また、メッセージ作成部２３１は、Ａ／Ｄ変換部２０２又はアプリケーション処理制御部２０４から出力されたメッセージ等を入力し、呼処理部２３２から報知情報処理部２３７までのいずれかに出力する。
【００６６】
呼処理部２３２は、端末２００又はＭＭＥ４１０との間で発呼手順を実行するためのメッセージの作成をメッセージ作成部２３１に要求する。また、呼処理部２３２は、端末２００又はＭＭＥ４１０から出力されたメッセージ等をメッセージ作成部２３１から入力し、発呼手順等のための処理を行う。
【００６７】
測定処理部２３３は、各セルに対する通信品質の測定等を行う。例えば、測定処理部２３３は、基地局１００‐１，…から送信された既知信号に対する受信電力、又は希望信号対干渉信号電力比（ＳＩＲ、ＳＩＮＲ等）等を測定する。例えば、呼処理２３２又は測定処理部２３３は、基地局１００を介してＭＭＥ４２０から送信された端末識別子を保持する。
【００６８】
ハンドオーバ制御部２３４は、ハンドオーバの処理の際に送信するメッセージの作成をメッセージ作成部２３１に要求する。また、ハンドオーバ制御部２３４は、基地局１００等から受信したメッセージ等をメッセージ作成部２３１から入力し、ハンドオーバに対する各種処理を行う。
【００６９】
装置監視制御部２３５は、端末２００内の各部２３１，…が正常に動作しているか否か等を監視する。
【００７０】
セル探索部２３６は、セルサーチ、例えば、端末２００の電源立ち上げ時にパスロスが最も小さなセルを探索する等を行う。例えば、セル探索部２３６は多段階によるセルサーチを行ってもよい。
【００７１】
報知情報処理部２３７は、接続先の基地局１００から受信した報知情報に対する各種処理を行う。報知情報処理部２３７は、例えば、報知情報に含まれる隣接セル情報（各セルの識別子又は各基地局１００の識別子）を測定処理部２３３に出力する。
【００７２】
電力制御部２３８は端末２００の各部の電力を制御する。
【００７３】
＜動作＞
次に動作を説明する。動作は「２セルまたぎ」の場合（図３（Ａ）及び同図（Ｂ））と、「３セルまたぎ」の場合（図４（Ａ）〜図５（Ｂ））で分けて説明する。
【００７４】
＜１  「２セルまたぎ」の場合の動作＞
「２セルまたぎ」の場合の動作は、１つの基地局１００で行われる場合（図３（Ａ)）と、２つの基地局１００間で行われる場合（図３（Ｂ））の２つの場合がある。これら２つの場合に分けて説明する。
【００７５】
＜１．１  「２セルまたぎ」が１つの基地局１００で行われる場合＞
図１０は「２セルまたぎ」が１つの基地局１００で行われる場合の動作例を示すシーケンス図、図１１（Ａ）及び同図（Ｂ）はかかる場合のテーブル１３８１の例、図１２はセルと端末２００の移動推移の関係例を夫々示す。本例は、端末２００が１つの基地局１００のセル＃１からセル＃２に移動し、閾値時間よりも短い時間でセル＃２からセル＃１に移動する場合の例である。
【００７６】
尚、端末２００はセル＃１に位置し、本動作が行われる前に端末２００と基地局１００、及びＭＭＥ４２０との間で呼処理が行われ、基地局１００は端末２００の端末識別子（例えば、ＴＭＳＩ（Temporary Mobile Subscriber Identity））を保持しているものとする。また、端末２００は基地局１００から報知情報を受信し、各セルの識別子（又はセルＩＤ）も保持しているものとする。
【００７７】
基地局１００は、図１０に示すように、ＲＲＣ  Ｃｏｎｎｅｃｔｉｏｎ  Ｒｅｃｏｎｆｉｇｕｒａｔｉｏｎメッセージ（以下、「Ｒｅｃｏｎｆｉｇｕｒａｔｉｏｎメッセージ」）を端末２００に送信する（Ｓ１０）。このＲｅｃｏｎｆｉｇｕｒａｔｉｏｎメッセージは、端末２００がハンドオーバを行う際の測定パラメータ（例えば、ヒステリシス値等）を含む。例えば、測定指示部１３４がメッセージ作成部１３１に当該メッセージの作成を要求することで、当該メッセージはＳＷ１０２等を経由して端末２００に送信される。例えば、測定指示部１３４は定期的に当該メッセージの作成を要求してもよい。
【００７８】
次いで、基地局１００と端末２００との間でデータの送信又は受信があれば、データが送信又は受信される（Ｓ１１）。
【００７９】
次いで、端末２００は、Ｍｅａｓｕｒｅｍｅｎｔ  Ｒｅｐｏｒｔメッセージを送信する。当該メッセージは、セル＃１からセル＃２へのハンドオーバの要求メッセージでもあり、測定処理部２３３は、セル＃２の識別子、セル＃２の品質測定値、及び自身の端末識別子が含まれるように当該メッセージの作成をメッセージ作成部２３１に要求する。例えば、測定処理部２３３は、セル＃１の受信品質測定値に、Ｒｅｃｏｎｆｉｇｕｒａｔｉｏｎメッセージに含まれるヒステリシス値を加算し、その加算値とセル＃２の受信品質測定値とを比較する。そして、測定処理部２３３は、セル＃２の受信品質測定値の方が加算値よりも良好な値のとき、セル＃２の識別子等を含むＭｅａｓｕｒｅｍｅｎｔ  Ｒｅｐｏｒｔメッセージの作成をメッセージ作成部２３１に要求する。
【００８０】
基地局１００は、当該メッセージを受信すると、ハンドオーバの実行を決定する（Ｓ１３）。例えば、ハンドオーバ制御部１３５は、メッセージ作成部２３１からＭｅａｓｕｒｅｍｅｎｔ  Ｒｅｐｏｒｔメッセージを入力すると、端末２００に対するセル＃１からセル＃２へのハンドオーバの実行を決定する。
【００８１】
次いで、基地局１００は、ハンドオーバの実行を指示（又はハンドオーバの実行を許可）するため、端末２００にＲｅｃｏｎｆｉｇｕｒａｔｉｏｎメッセージを送信する（Ｓ１４）。例えば、ハンドオーバ制御部１３５が、ハンドオーバの実行を決定した後、ハンドオーバの実行指示を含む当該メッセージの作成をメッセージ作成部１３１に要求することで、当該メッセージが端末２００に送信される。
【００８２】
端末２００は、Ｒｅｃｏｎｆｉｇｕｒａｔｉｏｎメッセージを受信すると、セル＃２に対して同期を確立するための処理等を行う（Ｓ１５）。例えば、ハンドオーバ制御部２３４が同期確立のための処理を行う。
【００８３】
端末２００はセル＃２に対して同期を確立した後、セル＃２に対してハンドオーバ完了を示すＲＲＣ  Ｃｏｎｎｅｃｔｉｏｎ  Ｒｅｃｏｎｆｉｇｕｒａｔｉｏｎ  Ｃｏｎｆｉｒｍメッセージ（以下、「Ｃｏｎｆｉｒｍメッセージ」）を基地局１００に送信する（Ｓ１６）。例えば、ハンドオーバ制御部２３４が同期確立処理等を終了した後、Ｃｏｎｆｉｒｍメッセージの作成をメッセージ作成部２３１に要求することで当該メッセージが基地局１００に送信される。また、基地局１００のハンドオーバ制御部１３５はメッセージ作成部１３１から当該メッセージを入力することでハンドオーバ完了を確認する。以上により、端末２００はセル＃１からセル＃２へのハンドオーバを完了する。
【００８４】
次いで、端末２００はハンドオーバ先のセル＃２を収容する基地局１００との間でデータを送信又は受信する（Ｓ１７）。
【００８５】
次いで、基地局１００は、ハンドオーバの基準となる各種パラメータを含むＲｅｃｏｎｆｉｇｕｒａｔｉｏｎメッセージを端末２００に送信する（Ｓ１８）。当該メッセージには、Ｓ１０と同様にハンドオーバの判断に用いられる測定パラメータを含み、例えば、セル＃２に対するヒステリシス値を含む。
【００８６】
次いで、端末２００は、セル＃２の品質測定値にＣｏｎｆｉｇｕｒａｔｉｏｎメッセージで通知（Ｓ１８）されたヒステリシス値を加算した加算値よりも、セル＃１の品質測定値の方が良好な値のとき、Ｍｅａｓｕｒｅｍｅｎｔ  Ｒｅｐｏｒｔメッセージを送信する（Ｓ１９）。当該メッセージは、セル＃１の識別子、セル＃１の品質測定値、端末２００の端末識別子等を含む。
【００８７】
基地局１００は、Ｓ１３と同様に、Ｍｅａｓｕｒｅｍｅｎｔ  Ｒｅｐｏｒｔメッセージを受信すると、ハンドオーバの実行を判断する（Ｓ２１）。この場合、例えば、ハンドオーバ制御部１３５はセル＃１へのハンドオーバの実行を許可する。
【００８８】
次いで、基地局１００は、Ｓ１４と同様に、ハンドオーバの実行を指示するため、端末２００にＲｅｃｏｎｆｉｇｕｒａｔｉｏｎメッセージを送信する（Ｓ２２）。この場合、例えば、ハンドオーバ制御部１３５は端末２００に対してセル＃１へのハンドオーバの実行を指示する。
【００８９】
次いで、端末２００は、ハンドオーバ先のセル＃１に対して同期確立のための処理を行い（Ｓ２３）、ハンドオーバの完了後、Ｃｏｎｆｉｒｍメッセージを基地局１００に送信する（Ｓ２４）。
【００９０】
以上により、端末２００はセル＃１からセル＃２にハンドオーバし（Ｓ１０〜Ｓ１６）、更にセル＃２からセル＃１にハンドオーバする（Ｓ１８〜Ｓ２４）ことになる。
【００９１】
所定時間経過後、基地局１００はロギング情報に基づいてパラメータの変更を判断する（Ｓ３０）。ロギング処理部１３８は、所定時間内にハンドオーバを行った各端末２００の履歴を示すロギング情報をテーブル１３８１として保持する。
【００９２】
テーブル１３８１は、図１１（Ａ）及び同図（Ｂ）に示すように、「項番」、「端末識別子」、「ＨＯ元」、「ＨＯ先」、「他候補」、及び「発生時刻」の各フィールドを含む。
【００９３】
「端末識別子」は、端末２００を識別する識別子が記憶され、例えば、端末２００が位置登録される際にＭＭＥ４２０が割り当てた端末毎の識別番号を示すＴＭＳＩが記憶される。「端末識別子」に記憶される識別子は、例えば電話番号等の端末固有番号を示すＩＭＳＩ（International Mobile Subscriber Identity）、端末本体に割り当てられる機器ごとにユニークなＩＭＥＩ（International Mobile Equipment Identity）でもよい。
【００９４】
「ＨＯ元」は端末２００がハンドオーバ元のセルの識別子、「ＨＯ先」はハンドオーバ先のセルの識別子が夫々記憶されるフィールドである。
【００９５】
「他候補」は、ハンドオーバを行う際に接続先のセルが「ＨＯ先」以外に更にある場合に当該セルの識別子が記憶されるフィールドである。
【００９６】
「発生時刻」は、ハンドオーバが発生する時刻を記憶するフィールドである。
【００９７】
これらのロギング情報のうち「端末識別子」は、例えば、呼処理等により基地局１００がＭＭＥ４１０又は端末２００から端末識別子を取得したときに、テーブル１３８１に記憶される。例えば、接続管理制御部１３６が呼処理等の際にメッセージ作成部１３１等に介して端末識別子を入力し、ロギング処理部１３８に出力することで「端末識別子」が記憶される。
【００９８】
また、「ＨＯ元」及び「ＨＯ先」は、例えば、ハンドオーバ制御部１３５がハンドオーバの実行を決定したとき（Ｓ１３又はＳ２１）に、ハンドオーバ元と先の各セルの識別子をロギング処理部１３８に出力することで記憶される。あるいは、ハンドオーバ制御部１３５はＣｏｎｆｉｒｍメッセージを受信したときに（Ｓ１６またはＳ２４）に各セルの識別子をロギング処理部１３８に出力して記憶するようにしてもよい。ハンドオーバ元のセルの識別子は、例えば、呼処理の際に端末２００からセルの接続要求を基地局１００が受信したときに、接続管理制御部１３６が抽出し、ロギング処理部１３８で保持できる。また、ハンドオーバ先のセルの識別子はＭｅａｓｕｒｅｍｅｎｔ  Ｒｅｐｏｒｔメッセージに含まれる。よって、ロギング処理部１３８は、ハンドオーバの実行の決定（Ｓ１３等）等の指示をハンドオーバ制御部１３５から受け取り、これを契機にテーブルに「ＨＯ元」と「ＨＯ先」のロギング情報を記憶できる。
【００９９】
「発生時刻」は、例えば、ハンドオーバ制御部１３５がハンドオーバの実行を決定したとき（Ｓ１３又はＳ２１）、或いは、Ｃｏｎｆｉｒｍメッセージを受信したとき（Ｓ１６又はＳ２４)に記憶される。例えば、ハンドオーバ制御部１３７がハンドオーバの実行を決定したとき、実行指示のメッセージがメッセージ作成部１３１から出力されるため、装置監視制御部１３７は、当該メッセージの出力時刻を時刻情報として出力できる。また、メッセージ作成部１３１がＣｏｎｆｉｒｍメッセージを受信したとき、装置監視制御部１３７は当該メッセージの受信時刻を時刻情報として出力できる。
【０１００】
図１１（Ａ）の例では、端末識別子「ＴＭＳＩ（ｘ０１）」の端末２００が、時刻「１０時」において、識別子が「ｅＮＢ１セル１」であるセルから、識別子が「ｅＮＢ１セル２」のセルにハンドオーバを行っている。更に、当該端末２００が、時刻「１０時２秒」にセル「ｅＮＢ１セル２」からセル「ｅＮＢ１セル１」にハンドオーバしている。
【０１０１】
図１１（Ｂ）の例は、更に、端末識別子「ＴＭＳＩ（ｘ０２）」の端末が時刻「１０時５分」にセル「ｅＮＢ１セル１」からセル「ｅＮＢ１セル２」にハンドオーバを行い、その「２秒」後にセル「ｅＮＢ１セル２」からセル「ｅＮＢ１セル１」にハンドオーバを行っている。
【０１０２】
変更判断部１３９は、所定時間経過後、このロギング情報をテーブル１３８１から読み出して測定パラメータの変更を判断する。
【０１０３】
例えば、変更の条件として、閾値時間を「３秒」、所定回数を「２」とすると、図１１（Ｂ）に示す項番「１」から「４」のロギング情報はこれを満たす。変更判断部１３９は、かかる変更の条件とロギング情報とを比較して、ロギング情報がかかる条件を満たすとき、測定パラメータ、例えば端末２００が品質測定に用いるヒステリシス値を変更するように変更指示を測定指示部１３４に出力する。測定指示部１３４は、変更指示に基づいて、変更したヒステリシス値をセル＃１に対する新たなヒステリシス値として、端末２００に送信する（Ｓ３１）。
【０１０４】
端末２００は、以後、セル＃１の品質測定値に対して、変更後のヒステリシス値を加算し、加算値と他セルの品質測定値を比較して、ハンドオーバの判定を行う。
【０１０５】
尚、変更判断部１３９は、Ｓ３０の処理において、ロギング情報が条件を満たさないとき、変更指示を出力せず、測定指示部１３４は例えばＳ１０で送信したヒステリシス値と同じ値のヒステリシス値を端末２００に送信する。
【０１０６】
図１２はセルと端末２００の移動推移の関係例を示す図である。セル＃１に対するヒステリシス値が変更されることで、図１２に示すように、セル＃１のセル範囲が実線から点線に広がる。この結果、端末２００が矢印のように移動してもセル＃１内を移動するためハンドオーバは実行されない（Ｍｅａｓｕｒｅｍｅｎｔ  Ｒｅｐｏｒｔメッセージを送信しない）。又は、端末２００は、セル＃１の範囲が点線となったため、Ｍｅａｓｕｒｅｍｅｎｔ  Ｒｅｐｏｒｔメッセージの送信（Ｓ１２等）が実線の場合よりも遅くなる。
【０１０７】
従って、本基地局１００と端末２００はハンドオーバが実行されないため（又は削減されるため）、その分、基地局１００及びネットワーク内のＭＭＥ４１０等はハンドオーバに対する処理を行わず、処理の削減を図ることができる。また、端末２００はハンドオーバを行わない分、消費電力の削減を図ることもできる。更に、ヒステリシス値の調整が基地局１００において手動で行われないため、基地局１００等を運用する事業者等に対してコスト削減を図ることもできる。
【０１０８】
＜１．２  「２セルまたぎ」が２つの基地局間で行われる場合＞
次に、「２セルまたぎ」が２つの基地局間で行われる場合について説明する。図１３及び図１４はかかる場合の動作例を示すシーケンス図である。
【０１０９】
図１３及び図１４は、端末２００が基地局（ｅＮＢ＃１）１００‐１のセル＃１から基地局（ｅＮＢ＃２）１００‐２のセル＃２にハンドオーバし、更に閾値時間よりも短い時間で更にセル＃２からセル＃１にハンドオーバする例を示す。上述した１．１と同様に、基地局１００‐１は端末２００の識別子を呼処理等により予め保持しており、端末２００は報知情報により隣接セル＃２の識別子を保持しているものとする。
【０１１０】
基地局１００‐１は、Ｒｅｃｏｎｆｉｇｕｒａｔｉｏｎメッセージを端末２００に送信する（Ｓ４０）。当該メッセージには、基地局１００‐２のセル＃１に対する測定パラメータ、例えば品質測定で用いられるヒステリシス値が含まれる。
【０１１１】
その後、データの送信又は受信があれば、端末２００と基地局１００‐１との間でデータを送信又は受信する（Ｓ４０）。基地局１００‐１は、端末２００から受信したデータ（ＵＬデータ）をＳ‐ＧＷ４３０に出力し、Ｓ‐ＧＷ４３０から出力されたデータ（ＤＬデータ）を端末２００に送信する。
【０１１２】
次いで、端末２００は、セル＃１の受信品質測定値にヒステリシス値を加算した値よりも、セル＃２の受信品質測定値の方が良い場合、セル＃２に対してハンドオーバを要求する（Ｓ４２）。ハンドオーバ要求メッセージであるＭｅｓｕｒｅｍｅｎｔ  Ｒｅｐｏｒｔメッセージは、端末２００の識別子、セル＃２の識別子、及びセル＃２の受信品質測定値を含む。
【０１１３】
基地局１００‐１は、当該メッセージを受信すると、ハンドオーバを実行することを決定する（Ｓ４３）。
【０１１４】
次いで、基地局１００‐１は、ハンドオーバ先のセル＃２を収容する基地局１００‐２にＨａｎｄｏｖｅｒ  Ｒｅｑｕｅｓｔメッセージを送信する（Ｓ４４）。当該メッセージは、端末２００の識別子を含む。これにより、ハンドオーバ先の基地局１００‐２は、ハンドオーバを行う端末２００を識別できる。また、当該メッセージ自体に、送信元及び宛先として、ハンドオーバ元とハンドオーバ先のセルの識別子が含まれる。これにより、基地局１００‐２は、ハンドオーバ元とハンドオーバ先のセルを識別できる。例えば、ハンドオーバ制御部１３５がメッセージ作成部１３１に要求し、メッセージ作成部１３１がロギング処理部１３８から「ＨＯ先」と「ＨＯ元」等のロギング情報を読み出してこれらの情報を含むように当該メッセージを作成することで送信される。
【０１１５】
次いで、基地局１００‐２は、端末２００との通信を行う際に必要なリソースの確認等を行う（Ｓ４５）。例えば、ハンドオーバ制御部１３５又はリソース管理部１３３がリソースの確認等を行う。
【０１１６】
次いで、基地局１００‐２は、Ｈａｎｄｏｖｅｒ  Ｒｅｑｕｅｓｔメッセージに対する応答メッセージである、Ｈａｎｄｏｖｅｒ  Ｒｅｑｕｅｓｔ  Ａｃｋメッセージを基地局１００‐１に送信する（Ｓ４６）。例えば、基地局１００‐２のハンドオーバ制御部１３５は当該メッセージの作成をメッセージ作成部１３１に要求することで当該メッセージが送信される。また、基地局１００‐１のハンドオーバ制御部１３５は、メッセージ作成部１３１から当該メッセージを受け取る。
【０１１７】
基地局１００‐１は、Ｈａｎｄｏｖｅｒ  Ｒｅｑｕｅｓｔ  Ａｃｋメッセージを受信すると、ハンドオーバの実行指示を含むＲｅｃｏｎｆｉｇｕｒａｔｉｏｎメッセージを端末２００に送信する（Ｓ４７）。例えば、基地局１００‐１のハンドオーバ制御部１３５が当該メッセージの作成をメッセージ作成部１３１に要求することで当該メッセージが端末２００に送信される。
【０１１８】
端末２００は、当該メッセージを受信するとセル＃２に対して同期を確立するための処理等を行う（Ｓ４８）。
【０１１９】
一方、基地局１００‐１は、ＤＬデータをハンドオーバ先の基地局１００‐２に送信する（Ｓ４９）。例えば、ベースバンド処理部１０４は、ハンドオーバの実行を決定（Ｓ４３）後、Ｓ‐ＧＷ４３０から受信したＤＬデータを保持しておき、この保持したＤＬデータを基地局１００‐２に送信する。
【０１２０】
次いで、基地局１００‐１は、端末２００の最大転送レート、及び種々のレベル情報等、端末２００に関するステータス情報を基地局１００‐２に送信する（Ｓ５０）。例えば、呼処理の際にハンドオーバ制御部１３５又は接続管理制御部１３６がステータス情報を保持し、メッセージ作成部１３１に当該情報の送信メッセージの作成を要求することで送信される。
【０１２１】
また、基地局１００‐１は、例えば、Ｓ４９以降にＤＬデータをＳ‐ＧＷ４３０から受信しているとき、当該ＤＬデータを基地局１００‐２に送信する（Ｓ５１）。
【０１２２】
一方、端末２００は、ハンドオーバ先の基地局１００‐２に対して同期を確立すると、ハンドオーバ完了を示すＣｏｎｆｉｒｍメッセージを基地局１００‐２に送信する（Ｓ５１）。これより、端末２００は、セル＃１からセル＃２へのハンドオーバを完了する。
【０１２３】
その後、端末２００は、ハンドオーバ先のセル＃２を収容する基地局１００‐２に対して、データを送信又は受信する（Ｓ５３）。
【０１２４】
次いで、基地局１００‐２は、測定パラメータを含むＲｅｃｏｎｆｉｇｕｒａｔｉｏｎメッセージを端末２００に送信する（Ｓ６０）。当該メッセージには、セル＃２に対するヒステリシス値が含まれる。
【０１２５】
次いで、送信すべきデータがあれば、端末２００又は基地局１００はデータを送信又は受信する（Ｓ６１）。
【０１２６】
次いで、端末２００は、セル＃２の受信品質測定値にヒステリシス値を加算した値よりも、セル＃１の受信品質測定値の方が良い場合、セル＃１に対してハンドオーバを要求する（Ｓ６２）。例えば、ハンドオーバ制御部２３４は、セル＃１の受信品質測定値等を含むＭｅａｓｕｒｅｍｅｎｔ  Ｒｅｐｏｒｔメッセージの作成をメッセージ作成部１３１に要求することで、当該メッセージが送信される。
【０１２７】
基地局１００‐２は、Ｍｅａｓｕｒｅｍｅｎ  Ｒｅｐｏｒｔメッセージを受信すると、セル＃１へのハンドオーバの実行を決定し（Ｓ６３）、ハンドオーバ先のセル＃１を収容する基地局１００‐１にＨａｎｄｏｖｅｒ  Ｒｅｑｕｅｓｔメッセージを送信する（Ｓ６４）。当該メッセージは、端末２００の識別子等を含む。
【０１２８】
基地局１００‐１は、Ｈａｎｄｏｖｅｒ  Ｒｅｑｕｅｓｔメッセージを受信すると、リソースの確認等の処理を行う（Ｓ６５）。
【０１２９】
次いで、基地局１００‐１は、Ｈａｎｄｏｖｅｒ  Ｒｅｑｕｅｓｔメッセージに対する応答メッセージであるＨａｎｄｏｖｅｒ  Ｒｅｑｕｅｓｔ  Ａｃｋメッセージを基地局１００‐２に送信する（Ｓ６６）。
【０１３０】
基地局１００‐２は、Ｈａｎｄｏｖｅｒ  Ｒｅｑｕｅｓｔ  Ａｃｋメッセージを受信すると、セル＃２に対するハンドオーバの実行を指示する、Ｒｅｃｏｎｆｉｇｕｒａｔｉｏｎメッセージを端末２００に送信する（Ｓ６７）。
【０１３１】
端末２００は、ハンドオーバの実行を指示する、Ｒｅｃｏｎｆｉｇｕｒａｔｉｏｎメッセージを受信すると、ハンドオーバ先のセル＃２を収容する基地局１００‐１に対して同期処理等を行う（Ｓ６８）。
【０１３２】
一方、基地局１００‐２は、ハンドオーバ先の基地局１００‐１に対して、ＤＬデータを送信し（Ｓ６９，Ｓ７１）、端末２００に関するステータス情報を送信する（Ｓ７０）。
【０１３３】
また、端末２００は、セル＃２への同期が確立すると、ハンドオーバ完了メッセージである、Ｃｏｎｆｉｒｍメッセージを基地局１００‐１に送信する（Ｓ７２）。これにより、端末２００はセル＃２からセル＃１へのハンドオーバを完了する。その後、端末２００は、ハンドオーバ先のセル＃１を収容する基地局１００‐１に対して、データを送信又は受信する（Ｓ７３）。
【０１３４】
そして、基地局１００‐１は、上述した１．１と同様に、所定時間経過後ロギング情報に基づいて、ハンドオーバの測定パラメータ、例えばセル＃１の受信品質測定値に対するヒステリシス値の変更を判断する（Ｓ３０）。
【０１３５】
本例においても、上述した１．１と同様に、変更判断部１３９がテーブル１３８１に記憶されたロギング情報に基づいて判断する。テーブル１３８１の例を図１１（Ａ）及び同図（Ｂ）に示す。この場合、２つの基地局１００‐１，１００‐２が同じロギング情報を有するテーブル１３８１を保持する。例えば、テーブル１３８１への記憶は以下のようにして行われる。
【０１３６】
すなわち、基地局１００‐１のハンドオーバ制御部１３５は、ハンドオーバの実行を決定したとき（Ｓ４３）に、テーブル１３８１の「ＨＯ先」と「ＨＯ元」にセルの識別子を記憶する。また、ハンドオーバ制御部１３５は、Ｈａｎｄｏｖｅｒ  Ｒｅｑｕｅｓｔメッセージを送信したとき（Ｓ４４）の時刻を「発生時刻」に記憶する。また、ハンドオーバ先の基地局１００‐２のハンドオーバ制御部１３５は、受信したＨａｎｄｏｖｅｒ  Ｒｅｑｕｅｓｔメッセージの送信元と送信先に基づいて、夫々「ＨＯ元」と「ＨＯ先」にセルの識別子を記憶する。更に、基地局１００‐２のハンドオーバ制御部１３５は、当該メッセージの受信時刻を「発生時刻」に記憶する。
【０１３７】
例えば、変更判断部１３９は、変更判断の条件として、ハンドオーバの発生間隔時間が「３秒」以内のハンドオーバが「２回」以上発生したときとすると、図１１（Ｂ）のロギング情報はこれを満たす。このとき、変更判断部１３９は、上述した１．１と同様に、例えば、Ｓ１０で送信したヒステリシス値よりも小さい値となるように変更指示を測定指示部１３４に出力する。
【０１３８】
これにより、基地局１００‐１は端末２００に変更後のヒステリシス値を含むＲｅｃｏｎｆｉｇｕｒａｔｉｏｎメッセージを送信する（Ｓ３１）。
【０１３９】
ヒステリシス値の変更についても、例えば図１２に示すようにセル＃１のセル範囲が実線から点線に変化する。これにより、端末２００は、セル＃１内で移動するため基地局１００‐１にＭｅａｓｕｒｅｍｅｎｔ  Ｒｅｐｏｒｔメッセージ（Ｓ４２）を送信しない。従って、基地局１００‐１と端末２００はＳ４２以降の処理が行われず、ハンドオーバが発生しないことになり、基地局１００‐１等では処理削減、端末２００では消費電力の削減を図ることができる。また、基地局１００‐１ではヒステリシス値の調整は基地局１００等で行われるため、手動で行う場合のコスト分を削減することができる。
【０１４０】
＜２．「３セルまたぎ」の場合の動作＞
次に、「３セルまたぎ」の場合の動作について説明する。この「３セルまたぎ」の場合も、１つの基地局１００で行われる場合（図４（Ａ））、２つの基地局１００‐１，１００‐２で行われる場合（図４（Ｂ）〜図５（Ａ））、３つの基地局１００‐１〜１００‐３で行われる場合がある。それぞれ分けて説明する。
【０１４１】
＜２．１  「３セルまたぎ」が１つの基地局１００で行われる場合＞
最初に、「３セルまたぎ」が１つの基地局１００で行われる場合について説明する。図１５がかかる場合のシーケンス例、図１６（Ａ）及び同図（Ｂ）がテーブル１３８１の例、図１７がセルと端末２００の移動推移との関係例を夫々示す図である。
【０１４２】
「３セルまたぎ」が１つの基地局１００で行われる場合のシーケンス例は以下のようになる。まず、端末２００と基地局１００は、セル＃１からセル＃２へのハンドオーバ処理を行う。この処理は上述した１．１（「２セルまたぎ」が１つの基地局で行われる場合）の処理（Ｓ１０〜Ｓ１６）と同様である。これにより、端末２００は、セル＃１からセル＃２へのハンドオーバを完了させ、基地局１００はデータの送信又は受信を行うことのできる状態（Ｓ１７）となる。
【０１４３】
ただし、Ｓ１２の処理において、端末２００がＭｅａｓｕｒｅｍｅｎｔ  Ｒｅｐｏｒｔメッセージを基地局１００に送信する際、端末２００は、セル＃２に対する識別子及び通信品質測定値以外にも、セル＃３の識別子及び通信品質測定値も送信する。これにより、端末２００のハンドオーバ先が複数ある場合、基地局１００は、ハンドオーバ先の複数の候補に関するロギング情報を記憶できる。例えば、ロギング処理部１３８は、図１６（Ａ）に示すように、テーブル１３８１において、項番「１」の「他候補」のフィールドにセル＃３の識別子の例である「ｅＮＢ１セル３」を記憶する。
【０１４４】
その後、端末２００は、閾値より短い時間で基地局１００のセル＃２からセル＃３にハンドオーバする。すなわち、基地局１００は、セル＃２に関するヒステリシス値等を含むＲｅｃｏｎｆｉｇｕｒａｔｉｏｎメッセージを端末２００に送信する（Ｓ８０）。
【０１４５】
次いで、端末２００は、セル＃２の通信品質にヒステリシス値を加算した値と、セル＃３の通信品質とを比較して、セル＃３の通信品質の方が良い結果を得た場合、Ｍｅａｓｕｒｅｍｅｎｔ  Ｒｅｐｏｒｔメッセージを送信する（Ｓ８２）。当該メッセージには、例えば、セル＃３の識別子、セル＃３の通信品質測定値、端末２００の識別子等が含まれる。  
【０１４６】
基地局１００は、Ｍｅａｓｕｒｅｍｅｎｔ  Ｒｅｐｏｒｔメッセージを受信すると、端末２００がセル＃２からセル＃３へハンドオーバすることを決定（又は許可）する（Ｓ８３）。
【０１４７】
次いで、基地局１００は、セル＃３へのハンドオーバの実行を指示するＲｅｃｏｎｆｉｇｕｒａｔｉｏｎメッセージを端末２００に送信する（Ｓ８４）。
【０１４８】
端末２００は、当該メッセージを受信するとセル＃３への同期処理を行い（Ｓ８５）、その後、ハンドオーバの完了を示すＣｏｎｆｉｒｍメッセージを基地局１００に送信する（Ｓ８６）。
【０１４９】
これにより、端末２００はセル＃１からセル＃２、更にセル＃２からセル＃３への各ハンドオーバが実行され、ロギング処理部１３８は、例えば図１６（Ａ）に示すように項番「２」までのロギング情報をテーブル１３８１に記憶する。
【０１５０】
次いで、基地局１００は所定時間経過後、ロギング情報に基づいてハンドオーバで用いられる測定パラメータの変更を判断する（Ｓ３０）。図１６（Ｂ）は、所定時間経過後のロギング情報を記憶したテーブル１３８１の例を示す。また、変更条件として、ハンドオーバの発生間隔が「５秒」以内で、かつ、「２回」以上のハンドオーバが発生したとき、ヒステリシス値を変更するものとする。このような場合、変更判断部１３９は、図１６（Ｂ）に示すロギング情報はかかる基準を満たすためヒステリシス値の変更指示、例えば、セル＃１に関するヒステリシス値をＳ１０で送信したものよりも小さくする指示を測定指示部１３４に出力する。
【０１５１】
次いで、指示測定部１３４は、変更されたヒステリシス値を含むＲｅｃｏｎｆｉｇｕｒａｔｉｏｎメッセージを端末２００に送信する（Ｓ３１）。
【０１５２】
端末２００は変更されたヒステリシス値によりハンドオーバを判定するため、例えば、図１７に示すように、セル＃１のセル範囲は点線から実線に変更され、ハンドオーバが発生する位置が四角印の位置から丸印の位置に変更される。従って、上述した１．１等と同様に、端末２００等はハンドオーバの回数を削減することができ、端末２００は電力消費の削減、基地局１００等は処理負荷の軽減を各々図ることができる。また、基地局１００はヒステリシス値の調整を自動的に行うため、本基地局１００等は事業者に手動で行わせる分のコストを削減することができる。
【０１５３】
＜２．２  「３セルまたぎ」が２つの基地局でおこなわれる場合＞
「３セルまたぎ」が２つの基地局１００‐１，１００‐２で行われる場合、セルと基地局１００との関係では、３つのパターンが存在する（例えば、図４（Ｂ）〜図５（Ａ））。各々のパターンの場合で以下説明する。
【０１５４】
＜２．２．１  基地局１００‐１がセル＃１，＃２を収容し、基地局１００‐２がセル＃を収容する場合＞
「３セルまたぎ」が２つの基地局１００‐１，１００‐２で行われる場合のうち、基地局１００‐１がセル＃１，＃２を収容し、基地局１００‐２がセル＃３を収容する場合（例えば、図４（Ｂ））の例を説明する。図１８は、端末２００がセル＃１からセル＃２にハンドオーバし、閾値時間よりも短い時間でセル＃２からセル＃３へハンドオーバする場合の動作例を含むシーケンス図である。また、図１９（Ａ）及び同図（Ｂ）はテーブル１３８１の例、図２０はセルと端末２００の移動推移との関係例を夫々示す図である。
【０１５５】
端末２００は、セル＃１からセル＃２にハンドオーバするときの動作は、上述した１．１（「２セルまたぎ」が１つの基地局で行われる場合）のＳ１０〜Ｓ１６と同様の処理を行う。ただし、上述した２．１（「３セルまたぎ」が１つの基地局で行われる場合）と同様に、Ｓ１２の処理において、端末２００はセル＃２以外にもセル＃３の識別子と通信品質測定値等を含むＭｅａｓｕｒｅｍｅｎｔ  Ｒｅｐｏｒｔメッセージを送信する。
【０１５６】
次いで、端末２００がセル＃２からセル＃３へハンドオーバする。この場合、セル＃２は基地局１００‐１に収容され、セル＃３は基地局１００‐２に収容される。よって、この場合のハンドオーバの動作は、上述した１．２（「２セルまたぎ」が２つの基地局間でおこなわれる場合）における基地局１００‐１から基地局１００‐２へのハンドオーバの動作（Ｓ４０〜Ｓ５２）とほぼ同様である。
【０１５７】
すなわち、基地局１００‐１はセル＃２に関するヒステリシス値等を含むＲｅｃｏｎｆｉｇｕｒａｔｉｏｎメッセージを端末２００に送信する（Ｓ４００）。
【０１５８】
次いで、端末２００は、セル＃３の通信品質測定値等を含むＭｅａｓｕｒｅｍｅｎｔｍ  Ｒｅｐｏｒｔメッセージを基地局１００‐１に送信する（Ｓ４２０）。
【０１５９】
基地局１００は、当該メッセージを受信すると、セル＃２からセル＃３へのハンドオーバを決定し（Ｓ４３０）、ハンドオーバ先のセル＃３を収容する基地局１００‐２にＨａｎｄｏｖｅｒ  Ｒｅｑｕｅｓｔメッセージを出力する（Ｓ４４０）。上述した１．２と同様に、例えば、基地局１００‐１の装置監視制御部１３７は当該メッセージを送信した時刻をテーブル１３８１の「発生時刻」のフィールドに記憶する。当該メッセージを受信した基地局１００‐２は、例えば装置監視制御部１３７が当該メッセージを受信した時刻を「発生時刻」のフィールドに記憶する。
【０１６０】
基地局１００‐２は、Ｈａｎｄｏｖｅｒ  Ｒｅｑｕｅｓｔメッセージを受信すると、端末２００に対するリソースの確認処理等を行う（Ｓ４５０）。次いで、基地局１００‐２は、当該メッセージに対する応答メッセージであるＨａｎｄｏｖｅｒ  Ｒｅｑｕｅｓｔ  Ａｃｋメッセージを基地局１００‐１に送信する（Ｓ４６０）。
【０１６１】
基地局１００‐１は、Ｈａｎｄｏｖｅｒ  Ｒｅｑｕｅｓｔ  Ａｃｋメッセージを受信すると、セル＃３へのハンドオーバの実行を指示するＣｏｎｆｉｇｕｒａｔｉｏｎメッセージを端末２００に送信する（Ｓ４７０）。
【０１６２】
端末２００は、当該メッセージを受信すると、セル＃３への同期処理を行い（Ｓ４８０）、基地局１００‐１は端末２００に関するステータス情報を基地局１００‐２に送信する（Ｓ５００）。また、基地局１００‐１は端末２００に送信するＤＬデータを保持しているとき当該ＤＬデータを基地局１００‐２に送信する（Ｓ４９０，Ｓ５１０）。
【０１６３】
端末２００は、セル＃３への同期処理等が終了すると、セル＃３を収容する基地局１００‐２にハンドオーバの完了を通知する（Ｓ５２０）。
【０１６４】
以上により、端末２００は、セル＃２からセル＃３へのハンドオーバを完了する。
【０１６５】
図１９（Ａ）は、セル＃３のハンドオーバ終了後（Ｓ５２０後）の基地局１００‐１のロギング処理部１３８が保持するテーブル１３８１の例を示す図である。また、同図（Ｂ）はセル＃３へのハンドオーバ終了後の基地局１００‐２のロギング処理部１３８が保持するテーブル１３８１の例を示す図である。基地局１００‐１は、Ｓ１２及びＳ４２０の処理により、端末２００からハンドオーバ先のセル＃２，＃３に関する情報を受信する。従って、基地局１００‐１は、同図（Ａ）に示すように、テーブル１３８１にセル＃１からセル＃２、及びセル＃２からセル＃３への各ハンドオーバに対する各ロギング情報を記憶できる。一方、基地局１００‐２は、同図（Ｂ）に示すように、Ｓ４４０の処理によりセル＃２からセル＃３へのハンドオーバに対するロギング情報を保持している。
【０１６６】
本２．２．１においても、上述した１．１等と同様に、ハンドオーバ元の基地局１００‐１が所定時間経過後ロギング情報に基づいてヒステリシス値の変更を判断する（Ｓ３０）。例えば、所定時間経過後に図１９（Ａ）に示すようなロギング情報を保持し、上述した１．２等と同様の条件のとき、変更判断部１３９はヒステリシス値の変更を測定指示部１３４に出力する。測定指示部１３４はこれにより、変更したヒステリシス値を含むＲｅｃｏｎｆｉｇｕｒａｔｉｏｎメッセージを端末２００に送信する（Ｓ３１）。
【０１６７】
図２０はセルと端末２００の移動推移との関係例を示す図である。この場合も、測定指示部１３４又は変更判断部１３９は、例えば、Ｓ１０で送信したセル＃１に対するヒステリシス値よりも低いヒステリシス値を端末２００に送信する。従って、セル＃１のセル範囲は点線から実線に変更され、ハンドオーバの位置が四角印から丸印に変更される。よって、ハンドオーバ回数が削減され、端末２００の電力消費の削減と基地局１００の処理軽減を図ることができる。また、ヒステリシス値の調整が自動的に行われ、コスト削減を図ることもできる。
【０１６８】
＜２．２．２  基地局１００‐１がセル＃１を収容し、基地局１００‐２がセル＃２，＃３を収容する場合＞
次に、基地局１００‐１がセル＃１を収容し、基地局１００‐２がセル＃２，＃３を収容する場合（例えば、図４（Ｃ））を説明する。図２１が動作例を示すシーケンス図、図２２（Ａ）及び同図（Ｂ）はテーブル１３８１、図２３はセルと端末２００の移動推移との関係例を夫々示す図である。
【０１６９】
端末２００はセル＃１からセル＃２へ移動する際、セル＃１を収容する基地局１００‐１からセル＃２を収容する基地局１００‐２へハンドオーバする。従って、基地局１００‐１，１００‐２と端末２００は、上述した１．２（「２セルまたぎ」が２つの基地局間で行われる場合）のＳ４０からＳ５２までの処理を行う。
【０１７０】
端末２００はセル＃２へのハンドオーバを行った後、セル＃３へのハンドオーバを行うが、２つのセル＃２，＃３は同一の基地局１００‐２のため、基地局１００‐２と端末２００は、上述した１．１（「２セルまたぎ」が１つの基地局で行われる場合）とほぼ同様の処理を行う。
【０１７１】
すなわち、基地局１００‐２は、セル＃２のヒステリシス値等を含む、Ｒｅｃｏｎｆｉｇｕｒａｔｉｏｎメッセージを端末２００に送信する（Ｓ９０）。
【０１７２】
端末２００は、セル＃３へのハンドオーバを要求するため、セル＃３の識別子及び品質測定値等を含むＭｅａｓｕｒｅｍｅｎｔ  Ｒｅｐｏｒｔメッセージを基地局１００‐２に送信する（Ｓ９２）。
【０１７３】
基地局１００‐２は、当該メッセージを受信すると、端末２００のセル＃２からセル＃３へのハンドオーバを決定し（Ｓ９３）、セル＃３へのハンドオーバの実行を指示するため、Ｒｅｃｏｎｆｉｇｕｒａｔｉｏｎメッセージを端末２００に送信する（Ｓ９４）。
【０１７４】
端末２００は、当該メッセージを受信すると、セル＃３に対して同期処理を行い（Ｓ９５）、ハンドオーバの完了を通知するため、Ｃｏｎｆｉｒｍメッセージを基地局１００‐２に送信する（Ｓ９６）。
【０１７５】
以上により、端末２００は、セル＃２からセル＃３へのハンドオーバを終了し、セル＃３を収容する基地局１００‐２とデータを送信又は受信できる。
【０１７６】
図２２（Ａ）は基地局１００‐１が保持するテーブル１３８１、同図（Ｂ）は基地局１００‐２が保持するテーブル１３８１の例を夫々示す。本２．２．２の場合、端末２００がセル＃２からセル＃３へハンドオーバするときに基地局１００‐１との間で通信が行われず、また基地局１００‐２は基地局１００‐１とも通信しない。よって、ハンドオーバ元の基地局１００‐１は、端末２００に関してセル＃１からセル＃２へのハンドオーバについてのロギング情報を保持するが、セル＃２からセル＃３へのハンドオーバに関するロギング情報を保持できない。同図（Ａ）はかかる場合のテーブル１３８１の例である。
【０１７７】
一方、セル＃１からセル＃２と、セル＃２からセル＃３へのハンドオーバについて基地局１００‐２は端末２００と通信しているため（Ｓ４０〜Ｓ５２、Ｓ９０〜Ｓ９６）、これら２つのハンドオーバに関するロギング情報を保持している。図２２（Ｂ）はかかる場合のテーブル１３８１の例である。
【０１７８】
このように、２つの基地局１００‐１，１００‐２は同じロギング情報を保持できない。本２．２．１では、このような場合、ハンドオーバ先の基地局１００‐２がハンドオーバ元の基地局１００‐１に保持したロギング情報を送信するようにしている。これにより、ハンドオーバが行われる２つの基地局１００‐１，１００‐２で同じロギング情報を保持することができ、ハンドオーバ元の基地局１００‐１はロギング情報に基づいてヒステリシス値の変更を判断できる（Ｓ３０）。図２１に示すように、本２．２．１では、Ｓ９６の処理終了後に、基地局１００‐２は保持したロギング情報を転送する（Ｓ９７）が、例えば、Ｓ９３の処理終了後、又はＳ９４の処理終了後に送信するようにしてもよい。以後の処理は上述した２．２．１等と同様である。
【０１７９】
図２３は、本２．２．２におけるセルと端末２００の移動推移との関係例を示す図である。ヒステリシス値の調整により、例えばセル＃１のセル範囲が点線（例えば、Ｓ１０の処理により送信されたヒステリシス値に基づくセル範囲）から実線に変更される。これにより、端末２００はハンドオーバ回数が削減され、消費電力の削減を図ることができる。また、基地局１００は処理軽減を図ることができる。また、ヒステリシス値の調整も自動で行われるため、コスト削減を図ることもできる。
【０１８０】
＜２．２．３  基地局１００‐１がセル＃１，＃３を収容し、基地局１００‐２がセル＃２を収容する場合＞
次に、基地局１００‐１がセル＃１，＃３を収容し、基地局１００‐２がセル＃２を収容する場合（例えば、図５（Ａ）））を説明する。図２４が動作例を示すシーケンス図、図２５（Ａ）及び同図（Ｂ）はテーブル１３８１、図２６はセルと端末２００の移動推移との関係例を夫々示す図である。
【０１８１】
本２．２．３では、端末２００は、セル＃１を収容する基地局１００‐１からセル＃２を収容する基地局１００‐２へハンドオーバし、次いで、セル＃３を収容する基地局１００‐１へハンドオーバする。
【０１８２】
この場合、セル＃１からセル＃２へのハンドオーバに関し、基地局１００‐１，１００‐２と端末２００は、上述した１．２（「２セルまたぎ」が２つの基地局間で行われる場合）と同様の処理（Ｓ４０〜Ｓ５２）を行う。
【０１８３】
次に、セル＃２からセル＃３へのハンドオーバに関し、基地局１００‐１，１００‐２と端末２００は、ハンドオーバ先のセルがセル＃３に変更されただけで、上述した１．２（「２セルまたぎ」が２つの基地局間で行われる場合）とほぼ同様の処理（Ｓ６０〜Ｓ７２）を行う。
【０１８４】
すなわち、基地局１００‐２は、セル＃２のヒステリシス値等を含むＲｅｃｏｎｆｉｇｕｒａｔｉｏｎメッセージを端末２００に送信する（Ｓ６００）。
【０１８５】
端末２００は、セル＃３へのハンドオーバを要求するため、セル＃３の識別子等を含むＭｅａｓｕｒｅｍｅｎｔ  Ｒｅｐｏｒｔメッセージを基地局１００‐２に送信する（Ｓ６２０）。
【０１８６】
基地局１００‐２は、Ｍｅａｓｕｒｅｍｅｎｔ  Ｒｅｐｏｒｔメッセージを受信すると、セル＃３へのハンドオーバの実行を決定し（Ｓ６３０）、セル＃３を収容する基地局１００‐１にＨａｎｄｏｖｅｒ  Ｒｅｑｕｅｓｔメッセージを送信する（Ｓ６４０）。当該メッセージには、上述した１．２等と同様に、端末２００の識別子等を含む。
【０１８７】
基地局１００‐１は、Ｈａｎｄｏｖｅｒ  Ｒｅｑｕｅｓｔメッセージを受信すると、端末２００との通信に用いるリソースの確認等を行う（Ｓ６５０）。次いで、基地局１００‐１は、当該メッセージに対する応答メッセージであるＨａｎｄｏｖｅｒ  Ｒｅｑｕｅｓｔ  Ａｃｋメッセージを基地局１００‐２に送信する（Ｓ６６０）。
【０１８８】
基地局１００‐２は、Ｈａｎｄｏｖｅｒ  Ｒｅｑｕｅｓｔ  Ａｃｋメッセージを受信すると、セル＃３へのハンドオーバの実行を指示するため、Ｒｅｃｏｎｆｉｇｕｒａｔｉｏｎメッセージを端末２００に送信する（Ｓ６７０）。
【０１８９】
端末２００は、当該メッセージを受信すると、セル＃３に対する同期処理（Ｓ６８０）を行う。また、ハンドオーバ元の基地局１００‐２はハンドオーバ先の基地局１００‐１に端末２００に関するステータス情報等を送信する（Ｓ６９０〜Ｓ７１０）。
【０１９０】
端末２００は、セル＃３への同期処理が終了すると、ハンドオーバ完了を通知するため、Ｃｏｎｆｉｒｍメッセージをハンドオーバ先のセル＃３を収容する基地局１００‐１に送信する（Ｓ７２０）。
【０１９１】
本２．２．３において、ハンドオーバに際し、２つの基地局１００‐１，１００‐２は互いにＨａｎｄｏｖｅｒ  Ｒｅｑｕｅｓｔメッセージを送受信する（Ｓ４４，Ｓ６４０）。従って、２つの基地局１００‐１，１００‐２は、例えば、図２５（Ａ）及び同図（Ｂ）に示すように、同一のロギング情報を保持することになる。これにより、基地局１００‐１はロギング情報に基づいてヒステリシス値等の変更を判断でき（Ｓ３０）、変更判断部１３９は、上述した１．１等と同様に条件を満たせば、測定指示部１３４に変更を指示する。そして、基地局１００‐１は変更されたヒステリシス値等を含むＲｅｃｏｎｆｉｇｕｒａｔｉｏｎメッセージを送信する（Ｓ３１）。
【０１９２】
図２６は、本２．２．３におけるセルと端末２００の移動推移との関係例を示す図である。変更判断部１３９は、例えばセル＃１に対するヒステリシス値をＳ１０で送信したヒステリシス値よりも小さい値となるように変更を指示することで、セル＃１のセル範囲が点線から実線に変更される。これにより、端末２００はハンドオーバ回数を削減でき、消費電力の削減を図ることができる。また、基地局１００‐１，１００‐２は、処理軽減を図り、コスト削減も図ることができる。
【０１９３】
＜２．３  「３セルまたぎ」が３つの基地局１００で行われる場合＞
次に、「３セルまたぎ」が３つの基地局１００‐１〜１００‐３で行われる場合（例えば、図５（Ｂ））について説明する。図２７は動作例を示すシーケンス図、図２８（Ａ）〜同図（Ｃ）はテーブル１３８１の例、図２９はセルと端末２００の移動推移の関係例を夫々示す図である。
【０１９４】
本２．３の例では、端末２００はセル＃１を収容する基地局１００‐１からセル＃２を収容する基地局１００‐２にハンドオーバし、次いで、セル＃２からセル＃３を収容する基地局１００‐３にハンドオーバする。従って、各ハンドオーバは、上述した１．２（「２セルまたぎ」が２つの基地局で行われる場合）とほぼ同様の処理を行うことになる。
【０１９５】
まず、端末２００がセル＃１からセル＃２にハンドオーバするときは、上述した１．２のＳ４０からＳ５２までの処理を行う。
【０１９６】
次いで、端末２００は、セル＃２へのハンドオーバを終了すると、セル＃３を収容する基地局１００‐３にハンドオーバを行う。
【０１９７】
すなわち、基地局１００‐２は、セル＃２に対するヒステリシス値等を含むＲｅｃｏｎｆｉｇｕｒａｔｉｏｎメッセージを端末２００に送信する（Ｓ１００）。
【０１９８】
次いで、端末２００は、セル＃３へのハンドオーバを要求するため、セル＃３の識別子等を含むＭｅａｓｕｒｅｍｅｎｔ  Ｒｅｐｏｒｔメッセージを基地局１００‐２に送信する（Ｓ１０２）。
【０１９９】
基地局１００‐２は、当該メッセージを受信すると、セル＃３へのハンドオーバの実行を決定し（Ｓ１０３）、ハンドオーバ先のセル＃３を収容する基地局１００‐３へＨａｎｄｏｖｅｒ  Ｒｅｑｕｅｓｔメッセージを送信する（Ｓ１０４）。当該メッセージには、端末２００の識別子等が含まれる。
【０２００】
基地局１００‐３は、Ｈａｎｄｏｖｅｒ  Ｒｅｑｕｅｓｔメッセージを受信すると、端末２００の通信に用いるリソース等の確認を行い（Ｓ１０５）、当該メッセージに対する応答メッセージである、Ｈａｎｄｏｖｅｒ  Ｒｅｑｕｅｓｔ  Ａｃｋメッセージを送信する（Ｓ１０６）。  
【０２０１】
基地局１００‐２は、当該メッセージを受信すると、端末２００に対してセル＃３へのハンドオーバの実行を指示するため、Ｒｅｃｏｎｆｉｇｕｒａｔｉｏｎメッセージを送信する（Ｓ１０７）。
【０２０２】
端末２００は、当該メッセージを受信すると、セル＃３への同期処理等を行い（Ｓ１０８）、次いで、セル＃３へのハンドオーバの完了を通知するため、Ｃｏｎｆｉｒｍメッセージを基地局１００‐３に送信する（Ｓ１１２）。
【０２０３】
一方、ハンドオーバ元のセル＃２を収容する基地局１００‐２は、ハンドオーバ先のセル＃３を収容する基地局１００‐３に、端末２００のステータス情報等を送信する（Ｓ１０９〜Ｓ１１１）。
【０２０４】
以上により、端末２００はセル＃１からセル＃２を経由してセル＃３へハンドオーバを行う。例えば、Ｓ１１２が終了したときの各基地局１００‐１〜１００‐３が保持するロギング情報の例を図２８（Ａ）〜同図（Ｃ）に夫々示す。
【０２０５】
基地局１００‐２は、例えば、Ｓ４４とＳ１０４により、セル＃１からセル＃２と、セル＃２からセル＃３の２つのハンドオーバについてのロギング情報を保持する。よって、基地局１００‐２のロギング処理部１３８は、例えば図２８（Ｂ）に示すロギング情報を保持する。
【０２０６】
一方、基地局１００‐１は、Ｓ４４の処理によりセル＃１からセル＃２へのハンドオーバについてのロギング情報を保持するため、例えば図２８（Ａ）に示すロギング情報を保持する。更に、基地局１００‐３もＳ１０４の処理によりセル＃２からセル＃３へのハンドオーバに関するロギング情報を保持するため、例えば、図２８（Ｃ）に示すロギング情報を保持する。
【０２０７】
このように、本２．２．３の例では、基地局１００‐２に全てのロギング情報が保持される。このため、基地局１００‐２はハンドオーバ元の基地局１００‐２にロギング情報を送信する。この送信は、例えば図２７に示すように、Ｃｏｎｆｉｒｍメッセージの後（Ｓ１１２）、送信するようにしてもよいし（Ｓ１１３）、Ｓ１０３からＳ１１０のうちのいずれかの後で送信するようにしてもよい。これにより、ハンドオーバ元の基地局１００‐１は、測定パラメータの変更判断を行うことができる（Ｓ３０）。以後の処理（Ｓ３０，Ｓ３１）は、上述した１．１と同様である。
【０２０８】
図２９は、本２．２．３の例におけるセルと端末２００の移動推移との関係例を示す図である。ヒステリシス値の調整（Ｓ３０，Ｓ３１）により、例えば、セル＃１のセル範囲が点線から実線に変化し、端末２００はセル＃２を経由しないでセル＃１からセル＃３へハンドオーバを行う。従って、ハンドオーバの回数が削減され、端末２００の消費電力削減、基地局１００の処理軽減、コスト削減等を図ることができる。
【０２０９】
尚、本第１の実施例において、「２セルまたぎ」及び「３セルまたぎ」のいずれの場合でも、変更判断部１３９と測定指示部１３４は、セル＃１のヒステリシス値を最初に送信したヒステリシス値（Ｓ１０）よりも低いヒステリシス値にするように調整するようにした。例えば、変更判断部１３９等は、セル＃２に対するヒステリシス値を最初に送信したとき（Ｓ１８等）よりも低い値のヒステリシス値を送信するようにしてもよい（Ｓ３１）。或いは、変更判断部１３９等は、上述したようにヒステリシス値そのものではなく、調整値として、セル＃１に対する調整値を負にしたり、セル＃２に対する調整値を負にして送信（Ｓ３１）することもできる。
【０２１０】
このヒステリシス値の送信（Ｓ１０等）について、基地局１００はハンドオーバ先のセル候補が複数あるとき、各セルの全ヒステリシス値を例えばＳ１０及びＳ８０において各々送信するようにしてもよい。この場合、基地局１００は、測定パラメータの変更を判断したとき（Ｓ３０）、例えばセル＃１〜セル＃３に対していずれかのヒステリシス値又は調整値に対して変更された値を端末２００に送信すればよい（Ｓ３１）。例えば、基地局１００は、図１７等に示す例の場合、セル＃３に対して正の調整値又はセル＃３に対して閾値より大きいヒステリシス値を送信する（Ｓ３１）。端末２００は接続中のセルに対する品質測定値を用いるとき送信されたヒステリシス値等を加算したものを用いてハンドオーバを判断すればよい。
【０２１１】
＜第２の実施例＞
次に第２の実施例を説明する。第２の実施例は端末２００の個別差又は個体差を含む例である。例えば、端末２００に関して、端末２００を製造又は販売するメーカによって基地局１００との通信可能範囲が異なる場合がある。例えば、あるメーカＡの端末２００‐１は、他のメーカＢの端末２００‐２よりも通信可能範囲が狭く、そのためハンドオーバの回数が第１の実施例と同様に、閾値時間より短い時間で「２セルまたぎ」又は「３セルまたぎ」が行われる場合がある。本第２の実施例では、基地局１００は、ロギング情報に「メーカＩＤ」及び「メーカ機種ＩＤ」を加え、これらを含むロギング情報に基づいて測定パラメータの変更判断を行うことができるため、メーカ毎に、或いはメーカの機種ＩＤ毎にヒステリシス値を調整するようにした例である。「メーカＩＤ」は、例えば、端末２００を製造又は販売する会社（又はメーカ）を識別する識別子であり、「メーカ機種ＩＤ」は、例えば、端末２００の機種を識別する識別子である。
【０２１２】
無線通信システム１０、ネットワーク５１０，５２０の各構成例は、第１の実施例と同様である（例えば、図１，図２）。また、セルと基地局１００との関係も第１の実施例と同様である（図３（Ａ）〜図５（Ｂ））。更に、基地局１００の全体構成（例えば、図６）、端末２００の各構成例（例えば、図８，図９）も第１の実施例と同様である。
【０２１３】
図３０は、第２の実施例における基地局１００の制御部１０３の構成例を示す図である。制御部１０３は、更に、端末情報取得処理部１４０を備える。
【０２１４】
端末情報取得処理部１４０は、例えば、発呼処理において上位装置であるＨＳＳ４２０から端末２００に関する「メーカＩＤ」及び「メーカ機種ＩＤ」とを含むメッセージを呼処理部１３２から抽出し、これら２つの情報をロギング処理部１３８に出力する。ロギング処理部１３８は、これらの情報を含むロギング情報をテーブル１３８１に保持し、第１の実施例と同様に各フィールドにロギング情報を記憶する。
【０２１５】
本第２の実施例において、ＨＳＳ４２０は、発呼処理を行う前に、「メーカＩＤ」と「メーカ機種ＩＤ」を予め保持しているものとする。図３１（Ａ）〜同図（Ｄ）は、ＨＳＳ４２０が保持する情報の例を示す図である。ＨＳＳ４２０は、ＨＳＳテーブル４２１を保持し、ＨＳＳテーブル４２１に加入者ごとに、番号情報、移動局（又は端末）の種別情報等を保持し、更に、加入者ごとに「メーカＩＤ」と「メーカ機種ＩＤ」とを保持する。ＨＳＳ４２０は、例えば、番号情報として、ＩＭＳＩ，ＴＭＳＩ，ＩＭＥＩを保持し、種別情報としてＩＭＥＩＳＶ（IMEI Software Version）を保持する。ＩＭＥＩＳＶは、例えば、ＩＭＥＩに対して更にバージョン情報を付加したもので、端末毎かつ、端末２００に記憶されるソフトウェアのバージョン毎にユニークな番号となる。基地局１００は、例えば、発呼処理においてＨＳＳ４２０から「メーカＩＤ」と「メーカ機種ＩＤ」とを取得する。
【０２１６】
図３１は発呼処理の例を示すシーケンス図である。まず、基地局１００を経由し、端末２００とＭＭＥ４１０との間で呼確立等の処理が行われる（Ｓ１２０）。
【０２１７】
次いで、ＭＭＥ４２０は、端末２００に対してＴＭＳＩを発行し、端末２００に保持したＩＭＥＩＳＶを端末２００に問い合わせる（Ｓ１２１，Ｓ１２２）。基地局１００はこの問い合わせを経由することになるが、例えば、呼処理部１３２とメッセージ作成部１３１との間で当該処理に用いられるコマンド（「Ｓｅｃｕｒｉｔｙ  Ｍｏｄｅ  Ｃｏｍｍａｎｄ」）又はメッセージの処理、作成等が行われる。尚、例えば、端末２００は、このＴＭＳＩを端末識別子として保持し、Ｍｅａｓｕｒｅｍｅｎｔ  Ｒｅｐｏｒｔメッセージを送信するとき（Ｓ１２等）、ＴＭＳＩを当該メッセージに含めて送信することができる。
【０２１８】
次いで、端末２００等は、基地局１００等からのコマンド等に対して、ＩＭＥＩＳＶを応答する（Ｓ１２３，Ｓ１２４）。例えば、端末２００は、ＴＭＳＩとＩＭＥＩＳＶとを組にして応答する。例えば、端末２００等は、「Ｓｅｃｕｒｉｔｙ  Ｍｏｄｅ  Ｃｏｍｐｌｅｔｅ」にこの組を含むようにして応答する。例えば、端末２００の呼処理部２３２は予めＩＭＥＩＳＶを保持し、メッセージ作成部２３１にＩＭＥＩＳＶを含む応答メッセージの作成を指示する。
【０２１９】
ＭＭＥ４１０は、当該応答を受信すると、ＴＭＳＩとＩＭＥＩＳＶとを関連付ける（Ｓ１２５）。例えば、ＭＭＥ４１０は、メモリにＴＭＳＩとＩＭＥＳＶとを組にしたテーブルを保持し、当該テーブルに応答により受信したＴＭＳＩとＩＭＥＩＳＶの情報を記憶する。
【０２２０】
次いで、ＭＭＥ４１０は、「メーカＩＤ」と「メーカ機種ＩＤ」とを取得するため、ＩＭＥＩＳＶを含むメッセージ（例えば、「ＵＥ  Ｉｎｆｏｒｍａｔｉｏｎ  Ｒｅｑｕｅｓｔ」）をＨＳＳ４２０に送信する（Ｓ１２６）。
【０２２１】
ＨＳＳ４２０は、当該メッセージを受信すると、ＩＭＥＩＳＶに対応する「メーカＩＤ」と「メーカ機種ＩＤ」とをＨＳＳテーブル４２１から読み出し、これらを含む応答メッセージ（例えば、「ＵＥ  Ｉｎｆｏｒｍａｔｉｏｎ  Ｒｅｓｐｏｎｓｅ」）を送信する（Ｓ１２７）。
【０２２２】
ＭＭＥ４１０は、かかる応答メッセージを受信すると、例えば、「メーカＩＤ」と「メーカ機種ＩＤ」とをＴＭＳＩ等と組にしたテーブルに保持する。
【０２２３】
一方、基地局１００は、「メーカＩＤ」と「メーカ機種ＩＤ」をＭＭＥ４１０から取得するため、ＴＭＳＩを含むメッセージ（例えば、「ＵＥ  Ｉｎｆｏｒｍａｔｉｏｎ  Ｒｅｑｕｅｓｔ」）をＭＭＥ４１０に送信する（Ｓ１２８）。  
【０２２４】
ＭＭＥ４１０は、当該メッセージを受信すると、ＴＭＳＩに対応する「メーカＩＤ」と「メーカ機種ＩＤ」とを基地局１００に送信する（Ｓ１２９）。尚、基地局１００は、例えば、Ｓ１２１又はＳ１２３等の処理により、ＴＭＳＩをテーブル１３８１に保持するようにしてもよい。例えば、接続管理制御部１３６がＳ１２１又はＳ１３２により受信したメッセージ等をメッセージ作成部１３１から入力し、ロギング処理部１３８に出力することで、テーブル１３８１に保持される。
【０２２５】
これにより、基地局１００は、端末識別子（例えば、ＴＭＳＩ）毎に、「メーカＩＤ」と「メーカ機種ＩＤ」を保持し、以後、第１の実施例で説明した各動作（１．１〜２．３）を実行できる（Ｓ１０等）。各動作において、端末２００は、例えば、自身の端末識別子（例えば、ＴＭＳＩ）をＭｅａｓｕｒｅｍｅｎｔ  Ｒｅｐｏｒｔに含めて送信する（Ｓ１２等）。基地局１００は当該メッセージを受信し、端末識別子に基づいて各フィールドにロギング情報を記憶することになる。端末識別子が特定されることで、「メーカＩＤ」と「メーカ機種ＩＤ」も特定され、上述した呼処理において、端末識別子ごとに「メーカＩＤ」等が保持されていれば、上述した１．１等と同様に端末識別子によりテーブル１３８１内の各ロギング情報が記憶される。
【０２２６】
また、各動作（１．１〜２．３）において、ヒステリシス値の変更の判断（Ｓ３０）と端末２００への通知（Ｓ３１）も第１の実施例と同様に動作できる。従って、本第２の実施例においても、端末２００のハンドオーバの回数が削減され、端末２００の消費電力削減と基地局１００の処理軽減を図ることができる。また、ヒステリシス値の調整も手動で行われないため、本システム５００のコスト削減を図ることができる。
【０２２７】
図３３（Ａ）〜図３３（Ｃ）は、基地局１００のロギング処理部１３８で保持されるテーブル１３８１の例を示す図である。これらの図に示すテーブル１３８１は、例えば、それぞれ異なる端末識別子（「ＴＭＳＩ（ｘ０１）」〜「ＴＭＳＩ（ｘ０３）」）を有する端末２００が「３セルまたぎ」によりハンドオーバを行ったときのロギング情報の例を示す。端末識別子が異なれば、「メーカＩＤ」も異なり、「メーカ機種ＩＤ」も異なるものとなる。
【０２２８】
＜その他の実施例＞
次にその他の実施例について説明する。上述した第１及び第２の各実施例において、基地局１００の制御部１０３内はハードウェアで構成されるものとして説明した。例えば、制御部１０３は、図３４（Ａ）に示すようにソフトウェアで構成されてもよい。例えは、ＲＯＭ１０３２はプログラムを保持し、ＣＰＵ１０３１はＲＯＭ１０３２からプログラムを読み出して当該プログラムを実行することで、メッセージ作成部１３１から装置監視制御部１３７、及び変更判断部１３９の機能を実現することができる。また、ＲＡＭ１０３３はテーブル１３８１を保持し、ＣＰＵ１０３１が適宜読み出すことで、ロギング処理部１３８の機能を実現できる。これにより図３４（Ａ）に示すソフトウェアでも、第１の実施例と第２の実施例とを実施することができる。
【０２２９】
また、端末２００のデジタルベースバンド処理制御部２０３も図３４（Ｂ）に示すようにソフトウェアで構成されてもよい。ＣＰＵ２０３１は、ＲＯＭ２０３２からプログラムを読み出し、これを実行することで、メッセージ作成部２３１から電力制御部２３８までの機能を実現することができる。また、ＲＡＭ２０３３は、例えば、ＣＰＵ２０３１がプログラムを実行する際のワーキングメモリとしての役割を果たす。
【０２３０】
以上まとめると付記のようになる。
【０２３１】
（付記１）
端末装置と無線通信を行う無線基地局装置において、
前記端末装置がハンドオーバするとき、当該ハンドオーバに対する履歴情報を記憶部に記憶するロギング処理部と、
前記履歴情報に基づいて、前記端末装置がハンドオーバの判定に用いる測定パラメータを変更するか否かを判断し、前記測定パラメータを変更すると判断したとき変更指示を出力する変更判断部と、
前記変更指示に基づいて変更した前記測定パラメータを前記端末装置に送信する送信部と
を備えることを特徴とする無線基地局装置。
【０２３２】
（付記２）
前記ロギング処理部は、前記端末装置が第１のセルから第２のセルを経由して前記第１のセルに夫々ハンドオーバするとき、又は前記端末装置が前記第１のセルから前記第２のセルを経由して第３のセルに夫々ハンドオーバするとき、各ハンドオーバに対する前記履歴情報を前記記憶部に記憶することを特徴とする付記１記載の無線基地局装置。
【０２３３】
（付記３）
前記ロギング処理部は、ハンドオーバが発生する毎に、ハンドオーバ元のセルの識別子と、ハンドオーバ先のセルの識別子、及びハンドオーバの発生時刻を含む前記履歴情報を記憶することを特徴とする付記１記載の無線基地局装置。
【０２３４】
（付記４）
前記変更判断部は、前記履歴情報に基づいて、第１の閾値時間内において、前記ハンドオーバが行われる時間間隔が第２の閾値時間内であって、かつ、前記ハンドオーバが閾値回数以上行われたとき、前記変更指示を出力することを特徴とする付記１記載の無線基地局装置。
【０２３５】
（付記５）
前記端末装置が前記第１のセルから前記第２のセルを経由して前記第１のセルにハンドオーバする場合において、前記無線基地局装置は前記第１及び第２のセルを収容し、前記端末装置が前記第１のセルから前記第２のセルを経由して前記第３のセルにハンドオーバする場合において、前記無線基地局装置は前記第１乃至第３のセルを収容することを特徴とする付記２記載の無線基地局装置。
【０２３６】
（付記６）
前記端末装置が前記第１のセルから前記第２のセルを経由して前記第１のセルにハンドオーバする場合において、前記無線基地局装置が前記第１のセルを収容し、前記無線基地局装置に接続された第１の無線基地局装置が前記第２のセルを収容することを特徴とする付記２記載の無線基地局装置。
【０２３７】
（付記７）
前記端末装置が前記第１のセルから前記第２のセルを経由して前記第３のセルにハンドオーバする場合において、前記無線基地局装置が前記第１及び第２のセルを収容し、前記無線基地局装置に接続された第１の無線基地局装置が前記第３のセルを収容することを特徴とする付記２記載の無線基地局装置。
【０２３８】
（付記８）
前記端末装置が前記第１のセルから前記第２のセルを経由して前記第３のセルにハンドオーバする場合において、前記無線基地局装置が前記第１のセルを収容し、前記無線基地局装置に接続された第１の無線基地局装置が前記第２及び第３のセルを収容することを特徴とする付記２記載の無線基地局装置。
【０２３９】
（付記９）
前記端末装置が前記第１のセルから前記第２のセルを経由して前記第３のセルにハンドオーバする場合において、前記無線基地局装置が前記第１及び第３のセルを収容し、前記無線基地局装置に接続された第１の無線基地局装置が前記第２のセルを収容することを特徴とする付記２記載の無線基地局装置。
【０２４０】
（付記１０）
前記端末装置が前記第１のセルから前記第２のセルを経由して前記第３のセルにハンドオーバする場合において、前記無線基地局装置が前記第１のセルを収容し、前記無線基地局装置に接続された第１の無線基地局装置が前記第２のセルを収容し、前記第１の無線基地局装置に接続された第２の無線基地局装置が前記第３のセルを収容することを特徴とする付記２記載の無線基地局装置。
【０２４１】
（付記１１）
更に、前記端末装置がハンドオーバするときハンドオーバ要求メッセージを送信又は受信するハンドオーバ制御部を備え、
前記ロギング処理部は、前記ハンドオーバ制御部が前記第１の無線基地局装置に前記ハンドオーバ要求メッセージを送信した時刻、又は前記ハンドオーバ制御部が前記第１の無線基地局装置から前記ハンドオーバ要求メッセージを受信した時刻を、前記履歴情報のうちハンドオーバの発生時刻として記憶部に記憶することを特徴とする付記６〜１０のうちいずれか一に記載の無線基地局装置。
【０２４２】
（付記１２）
前記ハンドオーバ制御部は、前記端末装置の端末識別子を含む前記ハンドオーバ要求メッセージを前記第１の無線基地局装置に送信することを特徴とする付記１１記載の無線基地局装置。
【０２４３】
（付記１３）
前記ハンドオーバ制御部は、前記端末装置を製造する製造会社を識別するメーカ識別子、前記端末装置の機種を識別する機種識別子、及び端末識別子を前記ハンドオーバ要求メッセージに含めて前記第１の無線基地局装置に送信することを特徴とする付記１１記載の無線基地局装置。
【０２４４】
（付記１４）
前記端末識別子はＴＭＳＩであることを特徴とする付記１２又は１３記載の無線基地局装置。
【０２４５】
（付記１５）
前記ロギング処理部は、前記端末装置が前記第２のセルから前記第３のセルへハンドオーバするときに前記第１の無線基地局装置で記憶された履歴情報を前記第１の無線基地局装置から受信して当該履歴情報を前記記憶部に記憶することを特徴とする付記８又は１０記載の無線基地局装置。
【０２４６】
（付記１６）
前記測定パラメータは、前記端末装置において、接続先のセルを収容する前記無線基地局装置に対する通信品質に加算されて、前記端末装置のハンドオーバの判定に用いられることを特徴とする付記１記載の無線基地局装置。
【０２４７】
（付記１７）
前記履歴情報は、更に、前記端末装置を製造する製造会社を識別するメーカ識別子、前記端末装置の機種を識別する機種識別子を含むことを特徴とする付記３記載の無線基地局装置。
【０２４８】
（付記１８）
端末装置と無線通信を行う無線基地局装置における無線通信方法であって、
前記端末装置がハンドオーバしたとき、当該ハンドオーバに対する履歴情報を記憶部に記憶し、
前記履歴情報に基づいて、前記端末装置がハンドオーバの判定に用いる測定パラメータを変更するか否かを判断し、前記測定パラメータを変更すると判断したとき変更指示を出力し、
前記変更指示に基づいて変更した前記測定パラメータを前記端末装置に送信する
ことを特徴とする無線通信方法。
【０２４９】
（付記１９）
端末装置と無線通信を行う無線基地局装置を制御するコンピュータに実行させるプログラムであって、
前記端末装置がハンドオーバしたとき、当該ハンドオーバに対する履歴情報を記憶部に記憶する処理と、
前記履歴情報に基づいて、前記端末装置が前記ハンドオーバの判定に用いる測定パラメータを変更するか否かを判断し、前記測定パラメータを変更すると判断したとき変更指示を出力する変更する処理と、
前記変更指示に基づいて変更した前記測定パラメータを前記端末装置に送信する処理と
を前記コンピュータに実行させるプログラム。
【符号の説明】
【０２５０】
１０：無線通信システム                
１００（１００‐１〜１００‐６）：無線基地局装置
１０１：伝送路インタフェース          １０２：スイッチ（ＳＷ）
１０３：制御部                        １０４：ベースバンド処理部
１０７‐１〜１０７‐３：アンテナ      １３１：メッセージ作成／処理部
１３２：呼処理部                      １３３：リソース管理部
１３４：測定指示／結果分析部          １３５：ハンドオーバ制御部  
１３６：ｅＮｏｄｅＢ‐端末接続管理制御部
１３７：装置監視制御部                １３８：ハンドオーバロギング処理部
１３９：測定パラメータ変更判断部      ２００：端末装置
２０１：アンテナ                      ２０３：デジタルベースバンド処理制御部
２０４：アプリケーション処理制御部    ２３１：メッセージ作成部
２３２：呼処理部                      ２３３：測定処理／結果収集部
２３４：ハンドオーバ制御部            ４２１：ＨＳＳテーブル
１０３１：ＣＰＵ                      １０３２：ＲＯＭ
１０３３：ＲＡＭ                      １３８１：テーブル
２０３１：ＣＰＵ                      ２０３２：ＲＯＭ
２０３３：ＲＡＭ            
【図１】
2011193114.tif 000003
【図２】
2011193114.tif 000004
【図３】
2011193114.tif 000005
【図４】
2011193114.tif 000006
【図５】
2011193114.tif 000007
【図６】
2011193114.tif 000008
【図７】
2011193114.tif 000009
【図８】
2011193114.tif 000010
【図９】
2011193114.tif 000011
【図１０】
2011193114.tif 000012
【図１１】
2011193114.tif 000013
【図１２】
2011193114.tif 000014
【図１３】
2011193114.tif 000015
【図１４】
2011193114.tif 000016
【図１５】
2011193114.tif 000017
【図１６】
2011193114.tif 000018
【図１７】
2011193114.tif 000019
【図１８】
2011193114.tif 000020
【図１９】
2011193114.tif 000021
【図２０】
2011193114.tif 000022
【図２１】
2011193114.tif 000023
【図２２】
2011193114.tif 000024
【図２３】
2011193114.tif 000025
【図２４】
2011193114.tif 000026
【図２５】
2011193114.tif 000027
【図２６】
2011193114.tif 000028
【図２７】
2011193114.tif 000029
【図２８】
2011193114.tif 000030
【図２９】
2011193114.tif 000031
【図３０】
2011193114.tif 000032
【図３１】
2011193114.tif 000033
【図３２】
2011193114.tif 000034
【図３３】
2011193114.tif 000035
【図３４】
2011193114.tif 000036
【図３５】
2011193114.tif 000037